(57)【要約】      （修正有）【課題】３面交差構造物の３面交差周辺部を、効率よく、容易に、しかも優れた防水性及び気密性を施すことができる３面交差構造物の防水施工方法を提供する。【解決手段】３面交差構造物の３面が接する点状隅部及びその周辺部を含む３面交差周辺部に、展延性を有する防水気密用粘着シートを貼着させて、前記３面交差構造物に防水施工を施す方法とする。展延性防水気密シート１は基材２と、基材２の片面に形成された粘着剤層３と、粘着剤層３の表面を保護している剥離ライナー４により構成されている。展延性防水気密シート１を剥離ライナー４を外面側に位置するように２つ折り状態に折り曲げた後、４つ折り状態に折り曲げる。４つ折り状態の折曲角部６ｃを３面交差構造物の点状隅部に一致させ、線状の折曲部６ｂを３面交差構造物のいずれか２面が接する線状隅部に一致させ、剥離ライナー４を剥離させながら展延性防水気密シート１を展開させ貼り合わせる。【選択図】  図１
2006070461.tif 000002
【特許請求の範囲】
【請求項１】
３面が接触し且つ３面の各面どうしも互いに接触している３面を有する３面交差構造物における３面が接触している点状隅部及びその周辺部を含む３面交差周辺部に、展延性を有する防水気密用粘着シートを貼着させて、前記３面交差構造物に防水施工を施す方法であって、下記の工程（Ａ）〜（Ｅ）を具備することを特徴とする展延性を有する防水気密用粘着シートによる３面交差構造物の防水施工方法。
（Ａ）：基材の片面に、剥離ライナーにより保護されている粘着剤層が形成された形態の展延性を有する防水気密用粘着シートを、背面どうしが対向して内面側に位置し且つ粘着面が外面側に位置するような形態で、２つ折り状態となるように折り曲げた後、さらに、一方の外面側の粘着面が剥離ライナーにより保護された状態で対向して内面側に位置し且つ他方の外面側の粘着面が外面側に位置するような形態で、４つ折り状態となるように折り曲げる工程
（Ｂ）：工程（Ａ）において、２つ折り状態となるように折り曲げる前、２つ折り状態となるように折り曲げてから、４つ折り状態となるように折り曲げるまでの間、または４つ折り状態となるように折り曲げた後のいずれかの段階で、４つ折り状態となるように折り曲げた際に外面側に位置する粘着面を保護している剥離ライナーを剥離させる工程
（Ｃ）：工程（Ａ）および（Ｂ）の後、４つ折り状態となるように折り曲げられた展延性を有する防水気密用粘着シートにおける外面側で露出している粘着面を、２つ折り状態となるように折り曲げた際の線状の折り曲げ部と、４つ折り状態となるように折り曲げた際の線状の折り曲げ部とが交差している点状の２回折り曲げ角部が、３面交差構造物の３面が接触している点状隅部に一致又はほぼ一致するとともに、４つ折り状態となるように折り曲げた際の線状の折り曲げ部が、３面交差構造物におけるいずれかの２面どうしが接触している線状隅部に一致又はほぼ一致し、且つ２つ折り状態となるように折り曲げた際の線状の折り曲げ部が、３面交差構造物における他の２つの線状隅部に一致又はほぼ一致するような形態で、３面交差構造物の３面交差周辺部において、４つ折り状態となるように折り曲げた際の線状の折り曲げ部が一致又はほぼ一致している線状隅部を形成している２面に、密接に貼り合わせる工程
（Ｄ）：工程（Ｃ）の後、展延性を有する防水気密用粘着シートにおける未貼着状態の粘着面を保護している剥離ライナーを剥離させる工程
（Ｅ）：工程（Ｄ）の後、展延性を有する防水気密用粘着シートにおける未貼着状態で露出している粘着面を、３面交差構造物の３面交差周辺部における他の２つの線状隅部から他の１面の方向に展延させながら、３面交差構造物の３面交差周辺部における他の１面に、密接に貼り合わせる工程
【請求項２】
３面交差構造物が、（１）３面が接触し且つ３面の各面どうしも互いに接触しているとともに、各面間の角度がすべて１８０°未満となっている３面を有する３面交差構造物、（２）３面が接触し且つ３面の各面どうしも互いに接触しているとともに、各面間の角度が１８０°未満であるものが２つとなり且つ１８０°を超えているものが１つとなっている３面を有する３面交差構造物、（３）３面が接触し且つ３面の各面どうしも互いに接触しているとともに、各面間の角度が１８０°未満であるものが１つとなり且つ１８０°を超えているものが２つとなっている３面を有する３面交差構造物、または（４）３面が接触し且つ３面の各面どうしも互いに接触しているとともに、各面間の角度がすべて１８０°を超えている３面を有する３面交差構造物のいずれかである請求項１記載の展延性を有する防水気密用粘着シートによる３面交差構造物の防水施工方法。
【請求項３】
展延性を有する防水気密用粘着シートが、４つ折り状態となるように折り曲げた際に外面側に位置する粘着面を保護している剥離ライナーを剥離させることができるように、２つ折り状態となるように折り曲げた際の線状の折り曲げ部に対応する剥離ライナーの部位に、背割りが設けられている請求項１又は２記載の展延性を有する防水気密用粘着シートによる３面交差構造物の防水施工方法。
【請求項４】
展延性を有する防水気密用粘着シートが、破断時における伸び（標線間距離：４０ｍｍ、引張速度：３００ｍｍ／ｍｉｎ）が、長手方向および幅方向ともに、２００〜１２００％であり、且つ１００％伸長下における応力（標線間距離：４０ｍｍ、引張速度：５０ｍｍ／ｍｉｎ）が、長手方向および幅方向ともに、１０〜１００Ｎ／ｃｍ2である特性を有している請求項１〜３の何れかの項に記載の展延性を有する防水気密用粘着シートによる３面交差構造物の防水施工方法。
【請求項５】
展延性を有する防水気密用粘着シートが、ゴム製シートを基材としており、且つ基材の粘着剤層に対して反対側の面に非自着性且つ粘着剤層接着性を有する被膜層が形成されている請求項４記載の展延性を有する防水気密用粘着シートによる３面交差構造物の防水施工方法。
【請求項６】
ゴム製シートが、合成ゴムを主成分とするゴム組成物により構成されている請求項５記載の展延性を有する防水気密用粘着シートによる３面交差構造物の防水施工方法。
【請求項７】
ゴム製シートの合成ゴムが、ブチルゴム、エチレン−プロピレンゴム、およびエチレン−プロピレン−ジエンゴムから選択された少なくとも１種の合成ゴムである請求項６記載の展延性を有する防水気密用粘着シートによる３面交差構造物の防水施工方法。
【請求項８】
非自着性且つ粘着剤層接着性を有する被膜層が、アクリル系重合体または長鎖アルキル系化合物を含有する被膜形成組成物により形成されている請求項５記載の展延性を有する防水気密用粘着シートによる３面交差構造物の防水施工方法。
【発明の詳細な説明】
【技術分野】
【０００１】
本発明は、展延性を有する防水気密用粘着シートによる３面交差構造物の防水施工方法に関し、さらに詳しくは、住宅等の構造物において、３面が接触し且つ３面の各面どうしも互いに接触している３面を有する３面交差構造物における３面が接触している点状隅部及びその周辺部を含む３面交差周辺部に、展延性を有する防水気密用粘着シートを用いて防水施工を施す方法に関する。
【背景技術】
【０００２】
従来、防水・気密用住宅（防水性や気密性が優れている住宅）の品質の促進に関する法律の施行や、住宅の高気密化・高断熱化に伴う省エネルギー化に対応して、住宅の構造体と部材、部材間の間隙など（主として、サッシ開口部廻りや、透湿防水シートの重ね部分等の目地部など）に、防水及び／又は気密を目的とした防水気密用粘着テープが用いられている（特許文献１〜特許文献３参照）。従来の防水気密用粘着テープは、例えば、基材（不織布、織布、プラスチックフィルムなど）の片面に、ブチルゴム、ゴム化アスファルト、アクリル系粘着剤などが塗布された構成を有しており、住宅の構造体や、各種部材の動きに追従することが可能であり、長期間に亘って、防水性や気密性を発揮することが可能となっている。
【０００３】
【特許文献１】特開２００３−１３８２２７号公報
【特許文献２】特開２００３−４１２３３号公報
【特許文献３】特開平９−２０９４６４号公報
【発明の開示】
【発明が解決しようとする課題】
【０００４】
しかしながら、従来の防水気密用粘着シートは、粘着シートの破断時における伸びは、一部に例外はあるものの、通常、２０〜７０％となっているものがほとんどである。これは、従来では、防水気密用粘着シートは、粘着シートの伸びが必要とされない水平面、垂直面、又は部材の直角部分などの平面部分での使用がほとんどであり、防水気密用粘着シートが伸ばされて施工されることが想定されていなかったためである。そのため、特に、３面が接触し且つ３面の各面どうしも互いに接触している３面を有する３面交差構造物における３面が接触している点状隅部及びその周辺部を含む３面交差周辺部に、防水気密用粘着シートを適用することは困難であり、たとえ、従来の防水気密用粘着シートを３面交差周辺部に適用できたとしても、防水気密用粘着シートが貼付された部位において剥れ、シワなどが生じてしまい、防水性や気密性を保持させることができなくなるという問題が生じる。
【０００５】
そこで、本発明者らは、従来よりも破断時における伸びを大きく向上させた防水気密用粘着シート、すなわち、展延性を有する防水気密用粘着シートを開発した。このような展延性を有する防水気密用粘着シートを用いると、３面交差構造物における３面交差周辺部に対して防水施工を施しても、防水性や気密性を長期間にわたり保持させることが可能となり、しかも、防水施工を容易に行うことが可能となる。そのため、展延性を有する防水気密用粘着シートを用いて、３面交差構造物における３面交差周辺部に対して、効率よく且つ容易に防水施工を施す方法が求められている。
【０００６】
従って、本発明の目的は、展延性を有する防水気密用粘着シートを用いて、３面交差構造物における３面交差周辺部に対して、効率よく且つ容易に、しかも優れた防水性及び気密性で防水施工を施すことができる展延性を有する防水気密用粘着シートによる３面交差構造物の防水施工方法を提供することにある。
【課題を解決するための手段】
【０００７】
本発明者らは、前記目的を達成するため鋭意検討した結果、展延性を有する防水気密用粘着シートを用いて、３面交差構造物における３面交差周辺部に対して、特定の防水施工方法で防水施工を施すと、効率よく且つ容易に防水施工を施すことができ、しかも優れた防水性及び気密性で防水施工を施すことができることを見出した。本発明はこれらの知見に基づいて完成されたものである。
【０００８】
すなわち、本発明は、３面が接触し且つ３面の各面どうしも互いに接触している３面を有する３面交差構造物における３面が接触している点状隅部及びその周辺部を含む３面交差周辺部に、展延性を有する防水気密用粘着シートを貼着させて、前記３面交差構造物に防水施工を施す方法であって、下記の工程（Ａ）〜（Ｅ）を具備することを特徴とする展延性を有する防水気密用粘着シートによる３面交差構造物の防水施工方法である。
（Ａ）：基材の片面に、剥離ライナーにより保護されている粘着剤層が形成された形態の展延性を有する防水気密用粘着シートを、背面どうしが対向して内面側に位置し且つ粘着面が外面側に位置するような形態で、２つ折り状態となるように折り曲げた後、さらに、一方の外面側の粘着面が剥離ライナーにより保護された状態で対向して内面側に位置し且つ他方の外面側の粘着面が外面側に位置するような形態で、４つ折り状態となるように折り曲げる工程
（Ｂ）：工程（Ａ）において、２つ折り状態となるように折り曲げる前、２つ折り状態となるように折り曲げてから、４つ折り状態となるように折り曲げるまでの間、または４つ折り状態となるように折り曲げた後のいずれかの段階で、４つ折り状態となるように折り曲げた際に外面側に位置する粘着面を保護している剥離ライナーを剥離させる工程
（Ｃ）：工程（Ａ）および（Ｂ）の後、４つ折り状態となるように折り曲げられた展延性を有する防水気密用粘着シートにおける外面側で露出している粘着面を、２つ折り状態となるように折り曲げた際の線状の折り曲げ部と、４つ折り状態となるように折り曲げた際の線状の折り曲げ部とが交差している点状の２回折り曲げ角部が、３面交差構造物の３面が接触している点状隅部に一致又はほぼ一致するとともに、４つ折り状態となるように折り曲げた際の線状の折り曲げ部が、３面交差構造物におけるいずれかの２面どうしが接触している線状隅部に一致又はほぼ一致し、且つ２つ折り状態となるように折り曲げた際の線状の折り曲げ部が、３面交差構造物における他の２つの線状隅部に一致又はほぼ一致するような形態で、３面交差構造物の３面交差周辺部において、４つ折り状態となるように折り曲げた際の線状の折り曲げ部が一致又はほぼ一致している線状隅部を形成している２面に、密接に貼り合わせる工程
（Ｄ）：工程（Ｃ）の後、展延性を有する防水気密用粘着シートにおける未貼着状態の粘着面を保護している剥離ライナーを剥離させる工程
（Ｅ）：工程（Ｄ）の後、展延性を有する防水気密用粘着シートにおける未貼着状態で露出している粘着面を、３面交差構造物の３面交差周辺部における他の２つの線状隅部から他の１面の方向に展延させながら、３面交差構造物の３面交差周辺部における他の１面に、密接に貼り合わせる工程
【０００９】
本発明において、３面交差構造物としては、（１）３面が接触し且つ３面の各面どうしも互いに接触しているとともに、各面間の角度がすべて１８０°未満となっている３面を有する３面交差構造物、（２）３面が接触し且つ３面の各面どうしも互いに接触しているとともに、各面間の角度が１８０°未満であるものが２つとなり且つ１８０°を超えているものが１つとなっている３面を有する３面交差構造物、（３）３面が接触し且つ３面の各面どうしも互いに接触しているとともに、各面間の角度が１８０°未満であるものが１つとなり且つ１８０°を超えているものが２つとなっている３面を有する３面交差構造物、または（４）３面が接触し且つ３面の各面どうしも互いに接触しているとともに、各面間の角度がすべて１８０°を超えている３面を有する３面交差構造物のいずれかであってもよい。
【００１０】
また、展延性を有する防水気密用粘着シートとしては、４つ折り状態となるように折り曲げた際に外面側に位置する粘着面を保護している剥離ライナーを剥離させることができるように、２つ折り状態となるように折り曲げた際の線状の折り曲げ部に対応する剥離ライナーの部位に、背割りが設けられていることが好ましい。
【００１１】
さらに、展延性を有する防水気密用粘着シートが、ゴム製シートを基材としており、且つ基材の粘着剤層に対して反対側の面に非自着性且つ粘着剤層接着性を有する被膜層が形成されていることが好ましい。前記ゴム製シートとしては、合成ゴムを主成分とするゴム組成物により構成されていることが好ましく、ゴム製シートの合成ゴムとしては、ブチルゴム、エチレン−プロピレンゴム、およびエチレン−プロピレン−ジエンゴムから選択された少なくとも１種の合成ゴムが好適である。また、前記非自着性且つ粘着剤層接着性を有する被膜層が、アクリル系重合体または長鎖アルキル系化合物を含有する被膜形成組成物により形成されていることが好ましい。
【発明の効果】
【００１２】
本発明の展延性を有する防水気密用粘着シートによる３面交差構造物の防水施工方法によれば、展延性を有する防水気密用粘着シート用いて、３面交差構造物における３面交差周辺部に対して、効率よく且つ容易に、しかも優れた防水性及び気密性で防水施工を施すことができる。従って、本発明の展延性を有する防水気密用粘着シートによる３面交差構造物の防水施工方法を、住宅の構造体と部材との間の固定や、部材間の固定の際に利用すると、住宅内部への雨水の浸入を防ぎ、住宅内部での結露や腐食を長期間にわたり防止することが可能となる。
【発明を実施するための最良の形態】
【００１３】
本発明における展延性を有する防水気密用粘着シートによる３面交差構造物の防水施工方法は、３面が接触し且つ３面の各面どうしも互いに接触している３面を有する３面交差構造物における３面が接触している点状隅部及びその周辺部を含む３面交差周辺部に、展延性を有する防水気密用粘着シートを貼着させて、前記３面交差構造物に防水施工を施す方法であり、下記の工程（Ａ）〜（Ｅ）を具備している。
（Ａ）：基材の片面に、剥離ライナーにより保護されている粘着剤層が形成された形態の展延性を有する防水気密用粘着シートを、背面どうしが対向して内面側に位置し且つ粘着面が外面側に位置するような形態で、２つ折り状態となるように折り曲げた後、さらに、一方の外面側の粘着面が剥離ライナーにより保護された状態で対向して内面側に位置し且つ他方の外面側の粘着面が外面側に位置するような形態で、４つ折り状態となるように折り曲げる工程
（Ｂ）：工程（Ａ）において、２つ折り状態となるように折り曲げる前、２つ折り状態となるように折り曲げてから、４つ折り状態となるように折り曲げるまでの間、または４つ折り状態となるように折り曲げた後のいずれかの段階で、４つ折り状態となるように折り曲げた際に外面側に位置する粘着面を保護している剥離ライナーを剥離させる工程
（Ｃ）：工程（Ａ）および（Ｂ）の後、４つ折り状態となるように折り曲げられた展延性を有する防水気密用粘着シートにおける外面側で露出している粘着面を、２つ折り状態となるように折り曲げた際の線状の折り曲げ部と、４つ折り状態となるように折り曲げた際の線状の折り曲げ部とが交差している点状の２回折り曲げ角部が、３面交差構造物の３面が接触している点状隅部に一致又はほぼ一致するとともに、４つ折り状態となるように折り曲げた際の線状の折り曲げ部が、３面交差構造物におけるいずれかの２面どうしが接触している線状隅部に一致又はほぼ一致し、且つ２つ折り状態となるように折り曲げた際の線状の折り曲げ部が、３面交差構造物における他の２つの線状隅部に一致又はほぼ一致するような形態で、３面交差構造物の３面交差周辺部において、４つ折り状態となるように折り曲げた際の線状の折り曲げ部が一致又はほぼ一致している線状隅部を形成している２面に、密接に貼り合わせる工程
（Ｄ）：工程（Ｃ）の後、展延性を有する防水気密用粘着シートにおける未貼着状態の粘着面を保護している剥離ライナーを剥離させる工程
（Ｅ）：工程（Ｄ）の後、展延性を有する防水気密用粘着シートにおける未貼着状態で露出している粘着面を、３面交差構造物の３面交差周辺部における他の２つの線状隅部から他の１面の方向に展延させながら、３面交差構造物の３面交差周辺部における他の１面に、密接に貼り合わせる工程
【００１４】
［工程（Ａ）］
工程（Ａ）では、展延性を有する防水気密用粘着シート（「展延性防水気密用粘着シート」と称する場合がある）として、基材の片面に、剥離ライナーにより保護されている粘着剤層が形成された形態の展延性防水気密用粘着シートを用いており、このような展延性防水気密用粘着シートを、図１で示されるように、背面（すなわち、基材の粘着剤層に対して反対側に位置している面）どうしが対向して内面側に位置し且つ粘着面（粘着剤層の表面）が外面側に位置するような形態で、２つ折り状態となるように折り曲げた後、さらに、一方の外面側の粘着面が剥離ライナーにより保護された状態で対向して内面側に位置し且つ他方の外面側の粘着面が外面側に位置するような形態で、４つ折り状態となるように折り曲げている。
【００１５】
図１は、本発明の３面交差構造物の防水施工方法における工程（Ａ）において、展延性防水気密用粘着シートを折り曲げる状態を示す概略図である。図１において、１は展延性防水気密用粘着シート、１ａは展延性防水気密用粘着シート１の背面側、１ｂは展延性防水気密用粘着シート１の粘着面側、２は基材、３は粘着剤層、４は剥離ライナーである。また、５ａは展延性防水気密用粘着シート１を２つ折り状態となるように折り曲げた際の内面側（「２つ折り内面側」と称する場合がある）、５ｂは展延性防水気密用粘着シート１を２つ折り状態となるように折り曲げた際の外面側（「２つ折り外面側」と称する場合がある）、５ｂ１は２つ折り外面側５ｂのうちの一方の２つ折り外面側、５ｂ２は２つ折り外面側５ｂのうちの他方の２つ折り外面側、５ｃは展延性防水気密用粘着シート１を４つ折り状態となるように折り曲げた際の内面側（「４つ折り内面側」と称する場合がある）、５ｄは展延性防水気密用粘着シート１を４つ折り状態となるように折り曲げた際の外面側（「４つ折り外面側」と称する場合がある）、５ｄ１は４つ折り外面側５ｄのうちの一方の４つ折り外面側、５ｄ２は４つ折り外面側５ｄのうちの他方の４つ折り外面側、６ａは展延性防水気密用粘着シート１を２つ折り状態となるように折り曲げた際の線状の折り曲げ部（「２つ折り折曲部」と称する場合がある）、６ａ１は２つ折り折曲部６ａのうちの一方の端部側の２つ折り折曲部、６ａ２は２つ折り折曲部６ａのうちの他方の端部側の２つ折り折曲部、６ｂは展延性防水気密用粘着シート１を４つ折り状態となるように折り曲げた際の線状の折り曲げ部（「４つ折り折曲部」と称する場合がある）、６ｃは２つ折り折曲部６ａと４つ折り折曲部６ｂとが交差している点状の２回折り曲げ角部（「折曲角部」と称する場合がある）である。
【００１６】
図１（ａ）で示される展延性防水気密用粘着シート１は、基材２と、該基材２の片面に形成された粘着剤層３と、該粘着剤層３の表面（粘着面）を保護している剥離ライナー４とにより構成されている。従って、展延性防水気密用粘着シート１の基材２側の表面１ａ［図１（ａ）では、上側の面］は、背面側の面であり、剥離ライナー４側の表面１ｂ［図１（ａ）では、下側の面］は、粘着面側の面である。
【００１７】
前記展延性防水気密用粘着シート１を、図１（ｂ）で示されるように、基材２側の表面１ａが２つ折り内面側５ａとなり、且つ剥離ライナー４側の表面１ｂが２つ折り外面側５ｂとなる形態で、２つ折り状態となるように折り曲げている。すなわち、展延性防水気密用粘着シート１を、背面どうしが対向して２つ折り内面側５ａに位置し且つ粘着面が２つ折り外面側５ｂに位置するような形態で、２つ折り折曲部６ａで、２つ折り状態となるように折り曲げている。
【００１８】
なお、図１（ｂ）では、２つ折り外面側５ｂは、２つ折り折曲部６ａを境にして、一方の端部側の２つ折り外面側５ｂ１と、他方の端部側の２つ折り外面側５ｂ２とに分割することができる。
【００１９】
図１（ｂ）で示されるように、展延性防水気密用粘着シート１を２つ折り状態となるように折り曲げた後、図１（ｃ）で示されるように、２つ折り状態となるように折り曲げられた展延性防水気密用粘着シート１を、２つ折り外面側５ｂとなっている剥離ライナー４側の表面１ｂのうち、一方の２つ折り外面側５ｂ１に位置している剥離ライナー４側の表面１ｂが、４つ折り内面側５ｃとなり、且つ他方の２つ折り外面側５ｂ２に位置している剥離ライナー４側の表面１ｂが、４つ折り外面側５ｄとなる形態で、４つ折り状態となるように折り曲げている。すなわち、展延性防水気密用粘着シート１を２つ折り状態となるように折り曲げた後、２つ折り状態となるように折り曲げられた展延性防水気密用粘着シート１を、一方の２つ折り外面側５ｂ１の粘着面が剥離ライナー４により保護された状態で対向して４つ折り内面側５ｃに位置し且つ他方の２つ折り外面側５ｂ２の粘着面が４つ折り外面側５ｄに位置するような形態で、４つ折り折曲部６ｂで、４つ折り状態となるように折り曲げている。
【００２０】
なお、図１（ｃ）では、４つ折り外面側５ｄは、４つ折り折曲部６ｂを境にして、一方の端部側の４つ折り外面側５ｄ１と、他方の端部側の４つ折り外面側５ｄ２とに分割することができる。また、４つ折り状態に折り曲げているので、２回折り曲げられている点状の角部である折曲角部６ｃが形成されている。この折曲角部６ｃは、２つ折り折曲部６ａと４つ折り折曲部６ｂとが交差しており、従って、２つ折り折曲部６ａ１と、２つ折り折曲部６ａ２と、４つ折り折曲部６ｂとの３つの線状の折り曲げ部が交差しているとも表現できる。
【００２１】
図１（ｂ）や図１（ｃ）では、２つ折り折曲部６ａや４つ折り折曲部６ｂは、丸みを帯びた形態で折り曲げられた際の折り曲げ部となっているが、尖った形態で折り曲げられた際の折り曲げ部であってもよい。すなわち、２つ折り状態や４つ折り状態となるように折り曲げる際の折り曲げ方としては、Ｕ字型等のように丸みを帯びた形態の折り曲げ方であってもよく、Ｖ字型等のように尖った形態の折り曲げ方であってもよい。
【００２２】
［工程（Ｂ）］
工程（Ｂ）では、展延性防水気密用粘着シートにおいて、図２で示されるように、４つ折り状態となるように折り曲げた際に外面側に位置する粘着面を保護している剥離ライナーを剥離させている。図２は、本発明の３面交差構造物の防水施工方法における工程（Ｂ）において、展延性防水気密用粘着シートを４つ折り状態となるように折り曲げた際に外面側に位置する粘着面を保護している剥離ライナーが剥離された状態を示す概略図である。図２において、他の符号（１、２、３、４、５ａ、５ｂ１、５ｂ２、５ｃ、５ｄ、５ｄ１、５ｄ２、６ａ、６ａ１、６ａ２、６ｂ、６ｃ等の各符号）は前記に同じである。
【００２３】
図２で示される展延性防水気密用粘着シート１は、４つ折り状態となるように折り曲げられた構成を有しており、且つ、剥離ライナー４のうち、４つ折り外面側５ｄに位置する剥離ライナー４の部分が剥離されて、４つ折り外面側５ｄに位置する粘着面が露出しており、一方、４つ折り内面側５ｃに位置する剥離ライナー４の部分は剥離されておらず、４つ折り内面側５ｃに位置する粘着面は剥離ライナー４により保護された状態が保持されている構成を有している。
【００２４】
このような４つ折り外面側５ｄに位置する剥離ライナー４の部分を剥離させる工程としては、工程（Ａ）における何れかの段階や、工程（Ａ）の終了後における段階で行うことができる。具体的には、４つ折り外面側５ｄに位置する剥離ライナー４の部分は、工程（Ａ）において、（ｉ）展延性防水気密用粘着シート１を、２つ折り状態となるように折り曲げる前に、予め、剥離してもよく、（ｉｉ）２つ折り状態となるように折り曲げられた展延性防水気密用粘着シート１を、４つ折り状態となるように折り曲げる前に、剥離してもよく、（ｉｉｉ）４つ折り状態となるように折り曲げられた展延性防水気密用粘着シート１を作製した後に、剥離してもよい。すなわち、工程（Ａ）において、２つ折り状態となるように折り曲げる前、２つ折り状態となるように折り曲げてから、４つ折り状態となるように折り曲げるまでの間、または４つ折り状態となるように折り曲げた後のいずれかの段階で、４つ折り状態となるように折り曲げた際に外面側に位置する粘着面を保護している剥離ライナーを剥離させている。
【００２５】
［工程（Ｃ）］
工程（Ｃ）では、４つ折り状態となるように折り曲げられた展延性防水気密用粘着シートについて、図３で示されるように、外面側で露出している粘着面を、所定の形態で、３面が接触し且つ３面の各面どうしも互いに接触している３面を有する３面交差構造物におけるいずれかの２面に密接に貼り合わせている。図３は、本発明の３面交差構造物の防水施工方法における工程（Ｃ）において、４つ折り状態となるように折り曲げられた展延性防水気密用粘着シートを、３面交差構造物におけるいずれかの２面に貼り合わせた状態を示す概略図であり、３面交差構造物の要部を示している。図３において、Ｗは３面が接触し且つ３面の各面どうしも互いに接触している３面を有する構造物（３面交差構造物）であり、Ｘ、Ｙ、Ｚは、それぞれ、３面交差構造物Ｗにおける各面を示している。また、Ａは面Ｘと面Ｙとの２面が接触している線状隅部、Ｂは面Ｘと面Ｚとの２面が接触している線状隅部、Ｃは面Ｙと面Ｚとの２面が接触している線状隅部、Ｄは面Ｘと面Ｙと面Ｚとの３面が接触している点状隅部、Ｗａは点状隅部Ｄ及びその周辺部を含む部分（３面交差周辺部）を示している。図３において、他の符号（１、２、３、４、５ａ、５ｃ、５ｄ１、５ｄ２、６ａ１、６ａ２、６ｂ、６ｃ等の各符号）は前記に同じである。
【００２６】
図３において、３面交差構造物Ｗは、３面が接触し且つ３面の各面どうしも互いに接触している３面（Ｘ，Ｙ，Ｚ）を有している。具体的には、３面交差構造物Ｗは、面Ｘと面Ｙと面Ｚとが点状隅部Ｄで接触しているとともに、面Ｘと面Ｙとが線状隅部Ａで接触し、面Ｘと面Ｚとが線状隅部Ｂで接触し、且つ面Ｙと面Ｚとが線状隅部Ｃで接触している構成を有している。なお、３面交差構造物Ｗにおいて、３面のうちの各２面どうしが互いに接触することにより形成される角度（面角）は、すべて約９０°となっている。
【００２７】
図３では、このような３面交差構造物Ｗに対して、４つ折り状態となるように折り曲げられた展延性防水気密用粘着シート１を適用している。具体的には、４つ折り状態となるように折り曲げられた展延性防水気密用粘着シート１は、折曲角部６ｃが、３面交差構造物Ｗにおける点状隅部Ｄに一致又はほぼ一致し、また、４つ折り折曲部６ｂが、３面交差構造物Ｗにおける線状隅部Ａに一致又はほぼ一致し、さらに、２つ折り折曲部６ａ１が、３面交差構造物Ｗにおける線状隅部Ｂに一致又はほぼ一致し、さらにまた、２つ折り折曲部６ａ２が、３面交差構造物Ｗにおける線状隅部Ｃに一致又はほぼ一致する形態で、４つ折り外面側５ｄ１で露出している粘着面が面Ｘに、４つ折り外面側５ｄ２で露出している粘着面が面Ｙに接触するように、３面交差構造物Ｗにおける２面（Ｘ，Ｙ）に密接に貼り合わせられている。
【００２８】
このように、工程（Ｃ）では、工程（Ａ）および（Ｂ）の後、４つ折り状態となるように折り曲げられた展延性防水気密用粘着シート１における４つ折り外面側５ｄで露出している粘着面を、２つ折り状態となるように折り曲げた際の２つ折り折曲部６ａと、４つ折り状態となるように折り曲げた際の４つ折り折曲部６ｂとが交差している折曲角部６ｃが、３面交差構造物Ｗの３面が接触している点状隅部Ｄに一致又はほぼ一致するとともに、４つ折り状態となるように折り曲げた際の４つ折り折曲部６ｂが、３面交差構造物Ｗにおけるいずれかの２面どうしが接触している線状隅部Ａに一致又はほぼ一致し、且つ２つ折り状態となるように折り曲げた際の２つ折り折曲部６ａが、３面交差構造物Ｗにおける他の２つの線状隅部（Ｂ，Ｃ）に一致又はほぼ一致するような形態で、３面交差構造物Ｗにおける３面が接触している点状隅部Ｄ及びその周辺部を含む３面交差周辺部Ｗａにおいて、４つ折り状態となるように折り曲げた際の４つ折り折曲部６ｂが一致又はほぼ一致している線状隅部Ａを形成している２面に、密接に貼り合わせている。
【００２９】
［工程（Ｄ）］
工程（Ｄ）では、３面交差構造物の３面交差周辺部における所定の２面に所定の形態で貼り合わせた展延性防水気密用粘着シートにおいて、図４で示されるように、未貼着状態の粘着面を保護している剥離ライナーを剥離させている。図４は、本発明の３面交差構造物の防水施工方法における工程（Ｄ）において、３面交差構造物の３面交差周辺部における所定の２面に貼り合わせた展延性防水気密用粘着シートにおいて、未貼着状態の粘着面を保護している剥離ライナーが剥離された状態を示す概略図である。図４において、各符号は前記に同じである。
【００３０】
図４では、３面交差構造物Ｗの３面交差周辺部Ｗａにおける２面（Ｘ，Ｙ）に貼り合わせた展延性防水気密用粘着シート１は、４つ折り外面側５ｄ（４つ折り外面側５ｄ１およびに４つ折り外面側５ｄ２）に位置する粘着面が３面交差周辺部Ｗａにおける２面（Ｘ，Ｙ）に貼り合わせられており、一方、４つ折り内面側５ｃに位置する未貼着状態の粘着面が、該粘着面を保護している剥離ライナーが剥離されて、未貼着状態で露出している構成を有している。
【００３１】
このように、工程（Ｄ）では、工程（Ｃ）の後、展延性防水気密用粘着シート１における未貼着状態の粘着面を保護している剥離ライナーを剥離させている。
【００３２】
［工程（Ｅ）］
工程（Ｅ）では、３面交差構造物の３面交差周辺部における所定の２面に貼り合わせた展延性防水気密用粘着シートにおいて、図５で示されるように、未貼着状態で露出している粘着面を、所定の形態で、３面交差構造物の３面交差周辺部における他の１面に密接に貼り合わせている。図５は、本発明の３面交差構造物の防水施工方法における工程（Ｅ）において、３面交差構造物の３面交差周辺部における所定の２面に貼り合わせた展延性防水気密用粘着シートを、他の１面に貼り合わせた状態を示す概略図である。図５において、各符号は前記に同じである。
【００３３】
図５では、３面交差構造物Ｗの３面交差周辺部Ｗａにおける２面（Ｘ，Ｙ）に所定の形態で貼り合わせられた展延性防水気密用粘着シート１において、４つ折り内面側５ｃに位置する未貼着状態の粘着面は、面Ｘと面Ｚとによる線状隅部Ｂ及び面Ｙと面Ｚとによる線状隅部Ｃから面Ｚの方向に展延させられながら（図５では、矢印の方向に展延させながら）、３面交差構造物Ｗの３面交差周辺部Ｗａにおける他の１面Ｚに密接に貼り合わせられている。
【００３４】
このように、工程（Ｅ）では、工程（Ｄ）の後、展延性防水気密用粘着シートにおける未貼着状態で露出している粘着面を、３面交差構造物の３面交差周辺部における他の２つの線状隅部から他の１面の方向に展延させながら、３面交差構造物の３面交差周辺部における他の１面に、密接に貼り合わせている。
【００３５】
［３面交差構造物］
本発明において、３面交差構造物としては、３面が接触し且つ３面の各面どうしも互いに接触している３面を有する構造物であれば、特に制限されない。
【００３６】
なお、３面交差構造物における３面のうち、少なくとも何れか１つの面は平面ではなく、曲面等の非平面状の面となっていてもよい。
【００３７】
３面交差構造物において、各面間の角度（面角）としては、特に制限されず、１８０°未満であってもよく、１８０°を越えていてもよい。
【００３８】
なお、面角が１８０°未満であれば、該面角を形成している２面が接触している部位である線状隅部は、凹部状の線状隅部となっており、一方、面角が１８０°を越えていれば、該面角を形成している２面が接触している部位である線状隅部は、凸部状の線状隅部となっている。
【００３９】
このような３面交差構造物では、３面の各面どうしが互いに接触して形成された面角は３つあり、３つの面角としては、例えば、（１）すべて１８０°未満である組み合わせ、（２）１８０°未満であるものが２つであり且つ１８０°を超えているものが１つである組み合わせ、（３）１８０°未満であるものが１つであり且つ１８０°を超えているものが２つである組み合わせ、または（４）すべて１８０°を超えている組み合わせの４つの組み合わせで分類することができる。
【００４０】
従って、３面交差構造物としては、図６（ａ）で示されるように、（１）３面が接触し且つ３面の各面どうしも互いに接触しているとともに、各面間の角度がすべて１８０°未満となっている３面を有する３面交差構造物（「全凹部状３面交差構造物」と称する場合がある）、図６（ｂ）で示されるように、（２）３面が接触し且つ３面の各面どうしも互いに接触しているとともに、各面間の角度が１８０°未満であるものが２つとなり且つ１８０°を超えているものが１つとなっている３面を有する３面交差構造物（「凹部凸部状３面交差構造物」と称する場合がある）、図６（ｃ）で示されるように、（３）３面が接触し且つ３面の各面どうしも互いに接触しているとともに、各面間の角度が１８０°未満であるものが１つとなり且つ１８０°を超えているものが２つとなっている３面を有する３面交差構造物（「凸部凹部状３面交差構造物」と称する場合がある）、図６（ｄ）で示されるように、（４）３面が接触し且つ３面の各面どうしも互いに接触しているとともに、各面間の角度がすべて１８０°を超えている３面を有する３面交差構造物（「全凸部状３面交差構造物」と称する場合がある）などを例示することができる。
【００４１】
図６（ａ）〜（ｄ）は、それぞれ、本発明における３面交差構造物の例を部分的に示す概略図である。図６（ａ）において、Ｗ１は３面交差構造物、Ｘ１、Ｙ１、Ｚ１は、それぞれ、３面交差構造物Ｗ１の各面、Ａ１、Ｂ１、Ｃ１は、それぞれ、３面（Ｘ１，Ｙ１，Ｚ１）のうちのいずれか２面による線状隅部、Ｄ１は３面（Ｘ１，Ｙ１，Ｚ１）による点状隅部である。図６（ａ）で示される３面交差構造物Ｗ１において、面Ｘ１と面Ｙ１との２面による面角は約９０°となっており、面Ｘ１と面Ｚ１との２面による面角は約９０°となっており、面Ｙ１と面Ｚ１との２面による面角は約９０°となっている。従って、３面交差構造物Ｗ１は、全凹部状３面交差構造物に分類することができる。
【００４２】
図６（ｂ）において、Ｗ２は３面交差構造物、Ｘ２、Ｙ２、Ｚ２は、それぞれ、３面交差構造物Ｗ２の各面、Ａ２、Ｂ２、Ｃ２は、それぞれ、３面（Ｘ２，Ｙ２，Ｚ２）のうちのいずれか２面による線状隅部、Ｄ２は３面（Ｘ２，Ｙ２，Ｚ２）による点状隅部である。図６（ｂ）で示される３面交差構造物Ｗ２において、面Ｘ２と面Ｙ２との２面による面角は約２７０°となっており、面Ｘ２と面Ｚ２との２面による面角は約９０°となっており、面Ｙ２と面Ｚ２との２面による面角は約９０°となっている。従って、３面交差構造物Ｗ２は、凹部凸部状３面交差構造物に分類することができる。
【００４３】
図６（ｃ）において、Ｗ３は３面交差構造物、Ｘ３、Ｙ３、Ｚ３は、それぞれ、３面交差構造物Ｗ３の各面、Ａ３、Ｂ３、Ｃ３は、それぞれ、３面（Ｘ３，Ｙ３，Ｚ３）のうちのいずれか２面による線状隅部、Ｄ３は３面（Ｘ３，Ｙ３，Ｚ３）による点状隅部である。図６（ｃ）で示される３面交差構造物Ｗ３において、面Ｘ３と面Ｙ３との２面による面角は約９０°となっており、面Ｘ３と面Ｚ３との２面による面角は約２７０°となっており、面Ｙ３と面Ｚ３との２面による面角は約２７０°となっている。従って、３面交差構造物Ｗ３は、凸部凹部状３面交差構造物に分類することができる。
【００４４】
図６（ｄ）において、Ｗ４は３面交差構造物、Ｘ４、Ｙ４、Ｚ４は、それぞれ、３面交差構造物Ｗ４の各面、Ａ４、Ｂ４、Ｃ４は、それぞれ、３面（Ｘ４，Ｙ４，Ｚ４）のうちのいずれか２面による線状隅部、Ｄ４は３面（Ｘ４，Ｙ４，Ｚ４）による点状隅部である。図６（ｄ）で示される３面交差構造物Ｗ４において、面Ｘ４と面Ｙ４との２面による面角は約２７０°となっており、面Ｘ４と面Ｚ４との２面による面角は約２７０°となっており、面Ｙ４と面Ｚ４との２面による面角は約２７０°となっている。従って、３面交差構造物Ｗ４は、全凸部状３面交差構造物に分類することができる。
【００４５】
なお、図６（ａ）で示される全凹部状３面交差構造物としての３面交差構造物Ｗ１に対して、図１〜図２で示されている展延性防水気密用粘着シート１を適用して、展延性防水気密用粘着シートによる３面交差構造物の防水施工を行う場合、まずは、図２で示されるように、展延性防水気密用粘着シート１を、外面側に位置する粘着面が露出し且つ４つ折り状態となるように折り曲げた形態とした後、折曲角部６ｃが点状隅部Ｄ１に一致又はほぼ一致し、また、４つ折り折曲部６ｂが線状隅部Ａ１、線状隅部Ｂ１、線状隅部Ｃ１のいずれかの線状隅部に一致又はほぼ一致し、さらに、２つ折り折曲部６ａ１、２つ折り折曲部６ａ２が、他の線状隅部に、それぞれ、一致又はほぼ一致する形態で、４つ折り外面側５ｄ１で露出している粘着面と、４つ折り外面側５ｄ２で露出している粘着面とが、それぞれ、面Ｘ１、面Ｙ１、面Ｚ１のいずれかの面に接触するように、３面交差構造物Ｗ１における３面のうちのいずれかの２面に密接に貼り合わせ、その後、未貼着状態の粘着面を保護している剥離ライナーを剥離させ、さらにその後、４つ折り内面側５ｃに位置する未貼着状態の粘着面を、２つ折り折曲部６ａ１、２つ折り折曲部６ａ２が、それぞれ、一致又はほぼ一致している線状隅部から、まだ貼り合わせられていない面の方向に展延させられながら、３面交差構造物Ｗ１における他の１面に密接に貼り合わせることにより、全凹部状３面交差構造物に対して、展延性防水気密用粘着シートによる防水施工を施すことができる。
【００４６】
このように、全凹部状３面交差構造物に対して、展延性防水気密用粘着シートによる防水施工を施す場合は、全凹部状３面交差構造物は、各面どうしの面角は、すべて１８０°未満であるので、展延性防水気密用粘着シートにおける４つ折り折曲部が、いずれの線状隅部に一致又はほぼ一致するように、展延性防水気密用粘着シートを全凹部状３面交差構造物の３面交差周辺部に貼り合わせていてもよい。
【００４７】
また、図６（ｂ）で示される凹部凸部状３面交差構造物としての３面交差構造物Ｗ２に対して、図１〜図２で示されている展延性防水気密用粘着シート１を適用して、展延性防水気密用粘着シートによる３面交差構造物の防水施工を行う場合、まずは、図２で示されるように、展延性防水気密用粘着シート１を、外面側に位置する粘着面が露出し且つ４つ折り状態となるように折り曲げた形態とした後、折曲角部６ｃが点状隅部Ｄ２に一致又はほぼ一致し、また、４つ折り折曲部６ｂが線状隅部Ａ２に一致又はほぼ一致し、さらに、２つ折り折曲部６ａ１が線状隅部Ｂ２に一致又はほぼ一致し、さらにまた、２つ折り折曲部６ａ２が線状隅部Ｃ２に一致又はほぼ一致する形態で、４つ折り外面側５ｄ１で露出している粘着面が面Ｘ２に、４つ折り外面側５ｄ２で露出している粘着面が面Ｙ２に接触するように、３面交差構造物Ｗ２における２面（Ｘ２，Ｙ２）に密接に貼り合わせ、その後、未貼着状態の粘着面を保護している剥離ライナーを剥離させ、さらにその後、４つ折り内面側５ｃに位置する未貼着状態の粘着面を、線状隅部Ｂ２及び線状隅部Ｃ２から面Ｚ２の方向に展延させられながら、３面交差構造物Ｗ２における他の１面Ｚ２に密接に貼り合わせることにより、凹部凸部状３面交差構造物に対して、展延性防水気密用粘着シートによる防水施工を施すことができる。
【００４８】
このように、凹部凸部状３面交差構造物に対して、展延性防水気密用粘着シートによる防水施工を施す場合は、凹部凸部状３面交差構造物は、各面どうしの面角は、１８０°を超えているものが１つであり、１８０°未満のものが２つであるので、展延性防水気密用粘着シートにおける４つ折り折曲部が、１８０°を超えている面角で接触している２面どうしが接触している線状隅部に一致又はほぼ一致するように、展延性防水気密用粘着シートを凹部凸部状３面交差構造物の３面交差周辺部に貼り合わせることが重要である。
【００４９】
さらに、図６（ｃ）で示される凸部凹部状３面交差構造物としての３面交差構造物Ｗ３に対して、図１〜図２で示されている展延性防水気密用粘着シート１を適用して、展延性防水気密用粘着シートによる３面交差構造物の防水施工を行う場合、まずは、図２で示されるように、展延性防水気密用粘着シート１を、外面側に位置する粘着面が露出し且つ４つ折り状態となるように折り曲げた形態とした後、折曲角部６ｃが点状隅部Ｄ３に一致又はほぼ一致し、また、４つ折り折曲部６ｂが線状隅部Ａ３に一致又はほぼ一致し、さらに、２つ折り折曲部６ａ１が線状隅部Ｂ３に一致又はほぼ一致し、さらにまた、２つ折り折曲部６ａ２が線状隅部Ｃ３に一致又はほぼ一致する形態で、４つ折り外面側５ｄ１で露出している粘着面が面Ｘ３に、４つ折り外面側５ｄ２で露出している粘着面が面Ｙ３に接触するように、３面交差構造物Ｗ３における２面（Ｘ３，Ｙ３）に密接に貼り合わせ、その後、未貼着状態の粘着面を保護している剥離ライナーを剥離させ、さらにその後、４つ折り内面側５ｃに位置する未貼着状態の粘着面を、線状隅部Ｂ３及び線状隅部Ｃ３から面Ｚ３の方向に展延させられながら、３面交差構造物Ｗ３における他の１面Ｚ３に密接に貼り合わせることにより、凸部凹部状３面交差構造物に対して、展延性防水気密用粘着シートによる防水施工を施すことができる。
【００５０】
このように、凸部凹部状３面交差構造物に対して、展延性防水気密用粘着シートによる防水施工を施す場合は、凸部凹部状３面交差構造物は、各面どうしの面角は、１８０°未満のものが１つであり、１８０°を超えているものが２つであるので、展延性防水気密用粘着シートにおける４つ折り折曲部が、１８０°未満の面角で接触している２面どうしが接触している線状隅部に一致又はほぼ一致するように、展延性防水気密用粘着シートを凸部凹部状３面交差構造物の３面交差周辺部に貼り合わせることが重要である。
【００５１】
さらにまた、図６（ｄ）で示される全凸部状３面交差構造物としての３面交差構造物Ｗ４に対して、図１〜図２で示されている展延性防水気密用粘着シート１を適用して、展延性防水気密用粘着シートによる３面交差構造物の防水施工を行う場合、まずは、図２で示されるように、展延性防水気密用粘着シート１を、外面側に位置する粘着面が露出し且つ４つ折り状態となるように折り曲げた形態とした後、折曲角部６ｃが点状隅部Ｄ４に一致又はほぼ一致し、また、４つ折り折曲部６ｂが線状隅部Ａ４、線状隅部Ｂ４、線状隅部Ｃ４のいずれかの線状隅部に一致又はほぼ一致し、さらに、２つ折り折曲部６ａ１、２つ折り折曲部６ａ２が、他の線状隅部に、それぞれ、一致又はほぼ一致する形態で、４つ折り外面側５ｄ１で露出している粘着面と、４つ折り外面側５ｄ２で露出している粘着面とが、それぞれ、面Ｘ４、面Ｙ４、面Ｚ４のいずれかの面に接触するように、３面交差構造物Ｗ４における３面のうちのいずれかの２面に密接に貼り合わせ、その後、未貼着状態の粘着面を保護している剥離ライナーを剥離させ、さらにその後、４つ折り内面側５ｃに位置する未貼着状態の粘着面を、２つ折り折曲部６ａ１、２つ折り折曲部６ａ２が、それぞれ、一致又はほぼ一致している線状隅部から、まだ貼り合わせられていない面の方向に展延させられながら、３面交差構造物Ｗ４における他の１面に密接に貼り合わせることにより、全凸部状３面交差構造物に対して、展延性防水気密用粘着シートによる防水施工を施すことができる。
【００５２】
このように、全凸部状３面交差構造物に対して、展延性防水気密用粘着シートによる防水施工を施す場合は、全凸部状３面交差構造物は、各面どうしの面角は、すべて１８０°を超えているので、展延性防水気密用粘着シートにおける４つ折り折曲部が、いずれの線状隅部に一致又はほぼ一致するように、展延性防水気密用粘着シートを全凸部状３面交差構造物の３面交差周辺部に貼り合わせていてもよい。
【００５３】
本発明では、展延性防水気密用粘着シートを、３面交差構造物の３面交差周辺部に貼り合わせる際には、まずは、展延性防水気密用粘着シートを、外面側に位置する粘着面が露出している形態で４つ折り状態となるように折り曲げた後、４つ折り状態となるように折り曲げ且つ外面側に位置する粘着面が露出している形態の展延性防水気密用粘着シートを、折曲角部が３面交差構造物の点状隅部に一致又はほぼ一致し、且つ４つ折り折曲部がいずれかの線状隅部に一致又はほぼ一致するような形態で、３面交差構造物の点状隅部から線状隅部に至る１つのライン上で貼り合わせ、その後、２つ折り折曲部が他の線状隅部に一致又はほぼ一致するような形態で、４つ折り外面側で露出している粘着面が、４つ折り折曲部が一致又はほぼ一致している線状隅部を形成している２面に、それぞれ、密接に貼り合わせ、さらにその後、４つ折り内面側で露出している未貼着状態の粘着面を、他の１面に、２つ折り折曲部が一致又はほぼ一致している線状隅部から他の１面の方向に展延させながら密接に貼り合わせることが好ましい。
【００５４】
なお、４つ折り状態となるように折り曲げた形態の展延性防水気密用粘着シートにおける４つ折り外面側の粘着面を、４つ折り折曲部が一致又はほぼ一致している線状隅部を形成している２面に貼り合わせる際には、４つ折り状態となるように折り曲げた形態の展延性防水気密用粘着シートを展延させずに（伸長率が０％である形態で）、貼り合わせることが好ましいが、若干であれば（例えば、伸長率が１０％以下であれば）、展延させながら貼り合わせてもよい。
【００５５】
一方、４つ折り状態となるように折り曲げた形態の展延性防水気密用粘着シートにおける４つ折り内面側の粘着面を、他の１面に貼り合わせる際には、２つ折り折曲部が一致又はほぼ一致している線状隅部から他の１面の方向に展延させながら貼り合わせており、この際の伸長率としては、特に制限されないが、例えば、１０〜１００％とすることができる。
【００５６】
従って、展延性防水気密用粘着シートとしては、容易に展延させることができ、しかも展延後には、収縮しにくくなっている防水気密用粘着シートが好ましく、具体的には、例えば、破断時における伸びが大きく、一方、１００％伸長下における応力が小さくなっているものを好適に用いることができる。
【００５７】
また、展延性防水気密用粘着シートを、３面交差構造物の３面交差周辺部に貼り合わせる際には、まずは、展延性防水気密用粘着シートを、外面側に位置する粘着面が露出している形態で４つ折り状態となるように折り曲げることが必要である。そのため、展延性防水気密用粘着シートとしては、４つ折り状態となるように折り曲げた際に外面側に位置する粘着面を保護している剥離ライナーを剥離させることができるように、図７で示されているように、２つ折り状態となるように折り曲げた際の線状の折り曲げ部に対応する剥離ライナーの部位に、背割りが設けられていることが好ましい。このように、剥離ライナーの所定の位置に背割りが設けられていると、４つ折り状態となるように折り曲げた際に外面側に位置する粘着面を保護している剥離ライナーを、容易に、剥離させることができ、展延性防水気密用粘着シートを用いた３面交差構造物の防水施工の作業性を向上させることができる。
【００５８】
図７は、本発明における展延性防水気密用粘着シートの例を示す概略図であり、図７（ａ）は上面図、図７（ｂ）は断面図である。図７において、１１は展延性防水気密用粘着シート、２１は基材、３１は粘着剤層、４１は剥離ライナー、４１ａは剥離ライナー４１における一方の端部側の剥離ライナー部、４１ｂは剥離ライナー４１における他方の端部側の剥離ライナー部、４１ｃは剥離ライナー４１に設けられた背割り線である。展延性防水気密用粘着シート１１では、剥離ライナー４１に、何れかの対向している端部間の中央部又はほぼ中央部に、背割り線４１ｃが設けられており、剥離ライナー部４１ａと、剥離ライナー部４１ｂとを、分離して剥離させることができる。
【００５９】
なお、本発明において、展延性防水気密用粘着シートとして、図７で示されるような展延性防水気密用粘着シート１１を用いる場合、工程（Ａ）で２つ折り状態となるように折り曲げる際には、剥離ライナー４１に形成された背割り線４１ｃが山折り時の山部となるように、２つ折りに折り曲げることが重要である。
【００６０】
［展延性防水気密用粘着シート］
展延性防水気密用粘着シートとしては、基材と、該基材の片面に形成された粘着剤層と、該粘着剤層の表面（粘着面）を保護している剥離ライナーとを有し、且つ展延性を有しており、さらに、貼着後には、防水性及び気密性を付与することができる粘着シートであれば特に制限されない。展延性防水気密用粘着シートとしては、展延性を有していることが重要であり、特に、優れた展延性を有しているとともに、展延後には収縮しにくくなっている特性を有していることが好ましい。具体的には、展延性防水気密用粘着シートとしては、例えば、破断時における伸び（標線間距離：４０ｍｍ、引張速度：３００ｍｍ／ｍｉｎ）が、長手方向および幅方向ともに、２００〜１２００％であり、且つ１００％伸長下における応力（標線間距離：４０ｍｍ、引張速度：５０ｍｍ／ｍｉｎ）が、長手方向および幅方向ともに、１０〜１００Ｎ／ｃｍ2である特性を有していることが好ましい。
【００６１】
展延性防水気密用粘着シートにおいて、破断時における伸び（標線間距離：４０ｍｍ、引張速度：３００ｍｍ／ｍｉｎ；「破断時伸び」と称する場合がある）としては、長手方法（縦方向、機械方向、いわゆる「ＭＤ方向」）および幅方向（横方向、いわゆる「ＴＤ方向」）ともに、２００〜１２００％であることが好ましく、さらに好ましくは３００〜１２００％であり、特に５００〜１２００％であることが好適である。なお、展延性防水気密用粘着シートの破断時伸びが、ＭＤ方向およびＴＤ方向のうち少なくともいずれか一方の方向で、２００％未満となっていると、展延性防水気密用粘着シートを貼付する際の伸長性が低下し、一方、１２００％を超えていると、展延性防水気密用粘着シートを伸長させて貼付する際に、切れやすくなる。
【００６２】
このような破断時伸びは、ＭＤ方向、ＴＤ方向ともに、同一の大きさであってもよく、異なる大きさであってもよい。破断時伸びとしては、ＴＤ方向の方が大きくなっている場合が多く、例えば、ＭＤ方向の破断時伸びが２００〜１０００％（好ましくは３００〜９００％、さらに好ましくは５００〜８００％）であり、ＴＤ方向の破断時伸びが３００〜１２００％（好ましくは５００〜１２００％、さらに好ましくは７００〜１２００％）であってもよい。
【００６３】
展延性防水気密用粘着シートにおける破断時伸びは、展延性防水気密用粘着シートを、該展延性防水気密用粘着シートにおける長手方向、幅方向のそれぞれの方向で、ＪＩＳ  Ｋ  ６２５１に規定するダンベル形状１号（試験幅：１０ｍｍ、標線間距離：４０ｍｍ）の試験片に打ち抜き、ＪＩＳ  Ｚ  ０２３７に準じて、引張り試験機を使用し、試験片の標線間距離：４０ｍｍ、試験片の幅（試験幅）：１０ｍｍとして、３００ｍｍ／ｍｉｎの速度でクロスヘッド側を引張り、試験片が切断した時点の伸びを測定することにより求めることができる。
【００６４】
また、展延性防水気密用粘着シートにおいて、１００％伸長下における応力（標線間距離：４０ｍｍ、引張速度：５０ｍｍ／ｍｉｎ；「１００％引張り変形応力」と称する場合がある）としては、長手方向（縦方向、機械方向、いわゆる「ＭＤ方向」）および幅方向（横方向、いわゆる「ＴＤ方向」）ともに、１０〜１００Ｎ／ｃｍ2であることが好ましく、さらに好ましくは１０〜８０Ｎ／ｃｍ2であり、特に１０〜７０Ｎ／ｃｍ2であることが好適である。なお、展延性防水気密用粘着シートの１００％引張り変形応力が、ＭＤ方向およびＴＤ方向のうち少なくともいずれか一方の方向で、１０Ｎ／ｃｍ2未満となっていると、展延性防水気密用粘着シートを貼付した際の密着性が低下し、一方、１００Ｎ／ｃｍ2を超えていると、展延性防水気密用粘着シートを伸長させて貼付した後に、変形応力により、シワ、切れや剥がれ等が生じやすくなる。
【００６５】
このような１００％引張り変形応力は、ＭＤ方向、ＴＤ方向ともに、同一の大きさであってもよく、異なる大きさであってもよい。１００％引張り変形応力としては、ＭＤ方向の方が大きくなっている場合が多く、例えば、ＭＤ方向の１００％引張り変形応力が１２〜１００Ｎ／ｃｍ2（好ましくは１５〜８０Ｎ／ｃｍ2、さらに好ましくは２０〜７０Ｎ／ｃｍ2）であり、ＴＤ方向の１００％引張り変形応力が１０〜８０Ｎ／ｃｍ2（好ましくは１０〜５０Ｎ／ｃｍ2、さらに好ましくは１０〜３０Ｎ／ｃｍ2）であってもよい。
【００６６】
展延性防水気密用粘着シートにおける１００％引張り変形応力は、展延性防水気密用粘着シートを、該展延性防水気密用粘着シートにおける長手方向、幅方向のそれぞれの方向で、ＪＩＳ  Ｋ  ６２５１に規定するダンベル形状１号（試験幅：１０ｍｍ、標線間距離：４０ｍｍ）の試験片に打ち抜き、ＪＩＳ  Ｋ  ６２５４に準じて、引張り試験機を使用し、試験片の標線間距離：４０ｍｍ、試験片の幅（試験幅）：１０ｍｍとして、５０ｍｍ／ｍｉｎの速度でクロスヘッド側を引張り、試験片が１００％伸びた時点で引張りを停止し、このときの荷重を測定し、この荷重の値を引張り前の試験片の断面積（試験片の厚さ×試験片の幅）で割ることにより算出される値である。
【００６７】
展延性防水気密用粘着シートにおける破断時伸びや１００％引張り変形応力は、例えば、基材の物性（破断時伸びや１００％引張り変形応力）や、粘着剤層の粘着力を制御することにより、調整することができる。例えば、基材として、破断時における伸び（標線間距離：４０ｍｍ、引張速度：３００ｍｍ／ｍｉｎ）が、ＭＤ方向およびＴＤ方向ともに、２００〜１２００％であり、且つ１００％伸長下における応力（標線間距離：４０ｍｍ、引張速度：５０ｍｍ／ｍｉｎ）が、ＭＤ方向およびＴＤ方向ともに、１０〜１００Ｎ／ｃｍ2である特性を有している基材を用いることにより、前述のような破断時伸びや１００％引張り変形応力を有する展延性防水気密用粘着シートを作製することができる。なお、基材の破断時伸びや１００％引張り変形応力は、展延性防水気密用粘着シートの破断時伸びや１００％引張り変形応力と同様にして測定することができる。
【００６８】
（基材）
展延性防水気密用粘着シートにおける基材としては、展延性を有する防水気密用粘着シートを作製することが可能な基材であれば特に制限されないが、ゴム製シートを好適に用いることができる。ゴム製シートの素材又は材料としては、特に制限されず、各種ゴム組成物（例えば、合成ゴムや天然ゴムを含有するゴム組成物など）を用いることができる。ゴム製シートとしては、合成ゴムを主成分とするゴム組成物により構成されていることが好ましい。このような合成ゴムとしては、特に制限されず、例えば、ブチルゴム、ポリイソプレンゴム、ポリイソブチレンゴム、クロロプレンゴム、ニトリルブチルゴム、エチレン−プロピレンゴム（ＥＰＴ）、エチレン−プロピレン−ジエンゴム（ＥＰＤＭ）、ポリブテンゴム、塩素化ポリエチレンゴム、スチレン−ブタジエン（ＳＢ）ゴム、スチレン−イソプレン（ＳＩ）ゴム、スチレン−イソプレン−スチレンブロック共重合体（ＳＩＳ）ゴム、スチレン−ブタジエン−スチレンブロック共重合体（ＳＢＳ）ゴム、スチレン−エチレン−ブチレン−スチレンブロック共重合体（ＳＥＢＳ）ゴム、スチレン−エチレン−プロピレン−スチレンブロック共重合体（ＳＥＰＳ）ゴム、スチレン−エチレン−プロピレンブロック共重合体（ＳＥＰ）ゴムなどが挙げられる。合成ゴムは単独で又は２種以上組み合わせて使用することができる。
【００６９】
合成ゴムとしては、ブチルゴム、エチレン−プロピレンゴム、エチレン−プロピレン−ジエンゴムを好適に用いることができ、特にブチルゴムが好ましい。
【００７０】
ゴム組成物は、ゴム成分（合成ゴムなど）の他、軟化剤、充填剤、着色剤、紫外線吸収剤、酸化防止剤、帯電防止剤等の適宜な添加剤が、適量配合されていてもよい。
【００７１】
なお、展延性防水気密用粘着シートの物性（破断時伸びや、１００％引張り変形応力）を前記範囲とする点などから、ゴム製シートとしては、未加硫ゴムによるゴム製シートが好適である。
【００７２】
ゴム製シート等の基材は、公知の形成方法（例えば、押出し成型方法、圧延成型方法など）を利用して作製することができる。
【００７３】
基材（特に、ゴム製シート）の厚みとしては、特に制限されず、例えば、０．１ｍｍ以上（例えば、０．１〜３．０ｍｍ）の範囲から選択することができ、好ましくは０．４〜２．０ｍｍ（さらに好ましくは０．５〜１．５ｍｍ）である。基材（特に、ゴム製シート）の厚みが、薄すぎると、衝撃に弱くなり、一方、厚すぎると、展延性防水気密用粘着シートを伸ばす際に要する力が大きくなってしまう。
【００７４】
なお、基材としては、破断時における伸び（標線間距離：４０ｍｍ、引張速度：３００ｍｍ／ｍｉｎ）が、ＭＤ方向およびＴＤ方向ともに、２００〜１２００％であり、且つ１００％伸長下における応力（標線間距離：４０ｍｍ、引張速度：５０ｍｍ／ｍｉｎ）が、ＭＤ方向およびＴＤ方向ともに、１０〜１００Ｎ／ｃｍ2である特性を有している基材（特に、ゴム製シート）を好適に用いることができる。
【００７５】
（粘着剤層）
展延性防水気密用粘着シートにおける粘着剤層を構成する粘着剤としては、特に制限されず、例えば、ゴム系粘着剤、アクリル系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの公知の粘着剤を用いることができる。また、粘着剤は、ホットメルト型粘着剤であってもよい。粘着剤は、単独で又は２種以上組み合わせて使用することができる。粘着剤は、エマルジョン系粘着剤、溶剤系粘着剤、オリゴマー系粘着剤、固系粘着剤などのいずれの形態の粘着剤であってもよい。
【００７６】
なお、粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【００７７】
粘着剤としては、ゴム系粘着剤が好適である。ゴム系粘着剤としては、例えば、天然ゴムをベースポリマーとする天然ゴム系粘着剤、合成ゴムをベースポリマーとする合成ゴム系粘着剤のいずれであってもよいが、合成ゴム系粘着剤が好ましい。このような合成ゴム系粘着剤における合成ゴムとしては、例えば、ブチルゴム、ポリイソプレンゴム、ポリイソブチレンゴム、スチレン・ブタジエン（ＳＢ）ゴム、スチレン・イソプレン（ＳＩ）ゴム、スチレン・イソプレン・スチレンブロック共重合体（ＳＩＳ）ゴム、スチレン・ブタジエン・スチレンブロック共重合体（ＳＢＳ）ゴム、スチレン・エチレン・ブチレン・スチレンブロック共重合体（ＳＥＢＳ）ゴム、スチレン・エチレン・プロピレン・スチレンブロック共重合体（ＳＥＰＳ）ゴム、スチレン・エチレン・プロピレンブロック共重合体（ＳＥＰ）ゴム、再生ゴムや、これらの変性体などが挙げられ、ブチルゴムが特に好ましい。すなわち、粘着剤としては、ブチルゴム系粘着剤が最適である。
【００７８】
粘着剤層の形成方法としては、公知乃至慣用の形成方法を採用することができ、押出し機やカレンダーロールにより、シート状に成型して、ゴム製シートに貼り合わせる方法を好適に採用することができるが、ゴム製シート等の基材の表面に、粘着剤を塗布する方法（塗布方法）、剥離ライナーなどの剥離フィルム上に、粘着剤を塗布して粘着剤層を形成した後、該粘着剤層を、ゴム製シート等の基材上に転写する方法（転写方法）なども採用することができる。
【００７９】
粘着剤層の厚さとしては、特に制限されず、例えば、０．１〜３ｍｍ（好ましくは０．２〜２ｍｍ、さらに好ましくは０．３〜１ｍｍ）の範囲から選択することができる。
【００８０】
（剥離ライナー）
展延性防水気密用粘着シートにおける剥離ライナー（セパレータ）としては、特に制限されず、公知の剥離ライナーを適宜選択して用いることができる。具体的には、剥離ライナーとしては、例えば、基材の少なくとも一方の表面に剥離処理剤（剥離処理剤）による剥離処理層を有する剥離ライナーの他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材等による剥離ライナーなどを用いることができる。剥離ライナーとしては、例えば、基材の少なくとも一方の面に剥離処理層が形成されている形態の剥離ライナーを好適に用いることができる。このような剥離ライナーにおいて、剥離処理層を形成する基材としては、ポリエステルフィルム（ポリエチレンテレフタレートフィルム等）、オレフィン系樹脂フィルム（ポリエチレンフィルム、ポリプロピレンフィルム等）、ポリ塩化ビニルフィルム、ポリイミドフィルム、ポリアミドフィルム（ナイロンフィルム）、フッ素系フィルム（ポリテトラフルオロエチレンフィルムなど）、レーヨンフィルムなどのプラスチック系基材フィルム（合成樹脂フィルム）や、紙類（上質紙、和紙、クラフト紙、グラシン紙、合成紙、トップコート紙など）の他、これらを、ラミネートや共押し出しなどにより、複層化したもの（２〜３層の複合体）などが挙げられる。
【００８１】
一方、剥離処理層を構成する剥離処理剤としては、特に制限されず、例えば、シリコーン系剥離処理剤、フッ素系剥離処理剤、長鎖アルキル系剥離処理剤などを用いることができる。剥離処理剤は単独で又は２種以上組み合わせて使用することができる。
【００８２】
剥離処理層は、剥離処理剤を基材の所定の面（少なくとも一方の面）に塗布した後、乾燥や硬化反応等のための加熱工程を経て形成することができる。なお、乾燥や硬化反応等のための加熱工程では、公知乃至慣用の加熱方法（例えば、熱風式乾燥機を用いる方法など）を利用することができる。
【００８３】
なお、剥離ライナーの厚み、剥離ライナーにおける基材の厚みや、剥離処理層の厚みなどは特に制限されず、適宜選択することができる。
【００８４】
本発明では、剥離ライナーとしては、前述のように、対向している端部間の中央部（特に、幅方向の中央部）に、背割りが設けられていることが好ましい。背割り線としては、例えば、直線状の背割り線、点線状の背割り線など、いずれの形態の背割り線であってもよい。なお、直線状の背割り線が形成されている場合、背割り線の両側で、剥離ライナーは分離されていることになる。
【００８５】
背割り線は、剥離ライナーを粘着剤層に貼付する前に、予め形成されていてもよく、粘着剤層に貼付後に形成されていてもよい。なお、例えば、粘着剤層に貼付された剥離ライナーに直線状の背割り線が設けられている場合において、背割り線が粘着剤層に貼付する前に予め形成されている場合は、１枚の剥離ライナーに直線状の背割り線を形成させてから、粘着剤層に貼付した構成を有していてもよく、２枚の剥離ライナーを粘着剤層に貼付した構成を有していてもよい。
【００８６】
背割り線の形成方法としては、特に制限されず、例えば、カッター刃や丸刃等の刃物を利用して背割り線を形成する方法などが挙げられる。なお、背割り線の位置としては、テープ幅方向の中央部であることが望ましいが、中央部から左右寄り（幅方向の端部寄り）にずれた位置であってもよい。また、背割り線の深さや幅等も特に制限されない。
【００８７】
（非自着・非離型性被膜層）
本発明では、展延性防水気密用粘着シートは、背面どうしが対向して内面側に位置し且つ粘着面が外面側に位置するような形態で、２つ折り状態となるように折り曲げて用いられるので、背面どうしが接触しても、自着しない特性（非自着性）を有していることが好ましい。特に、展延性防水気密用粘着シートにおける基材としてゴム製シートが用いられている場合、展延性防水気密用粘着シートの背面（すなわち、ゴム製シートの表面）は、非自着性を有していることが重要である。
【００８８】
また、展延性防水気密用粘着シートを、３面交差構造物における３面交差周辺部に貼着させた後、それよりも広い範囲の防水施工を施すために、３面交差周辺部に貼着された状態の展延性防水気密用粘着シート上に、同一の展延性防水気密用粘着シートや、他の防水気密用粘着シート（この防水気密用粘着シートは、展延性を有していてもよく、有していなくてもよい）を貼着させる場合がある。そのため、展延性防水気密用粘着シートとしては、各種防水気密用粘着シートにおける粘着剤層との接着性［粘着剤層接着性（非離型性）］を有していることが好ましい。
【００８９】
従って、展延性防水気密用粘着シートとしては、背面が、非自着性および粘着剤層接着性（非離型性）を有していることが好適である。このように、展延性防水気密用粘着シートの背面に、非自着性および粘着剤層接着性（非離型性）を付与するために、基材（特に、ゴム製シート）の表面に、非自着性および粘着剤層接着性（非離型性）を有している被膜層（「非自着・非離型性被膜層」と称する場合がある）を形成することができる。従って、展延性防水気密用粘着シートとしては、図８で示されるように、基材としてのゴム製シートの一方の面に粘着剤層が形成され、且つ、ゴム製シートの他方の面（粘着剤層に対して反対側の面、すなわち背面）に非自着性且つ粘着剤層接着性を有する被膜層（非自着・非離型性被膜層）が形成された構成を有していることが好ましい。
【００９０】
図８は、本発明の展延性防水気密用粘着シートの例を部分的に示す概略断面図である。図８において、１２は展延性防水気密用粘着シート、２２はゴム製シート、３２は粘着剤層、４２は剥離ライナー、７は非自着性且つ粘着剤層接着性を有する被膜層（非自着・非離型性被膜層）である。図８に示される展延性防水気密用粘着シート１２は、ゴム製シート２２の一方の面に粘着剤層３２が形成され、他方の面に非自着・非離型性被膜層７が形成されており、また、粘着剤層３２は剥離ライナー４２により保護されている構成を有している。
【００９１】
非自着・非離型性被膜層は、非自着性および粘着剤層接着性（非離型性）を有している被膜層であり、非自着性および非離型性を発揮できる限り、その被膜形成組成物（素材又は材料）の種類は特に制限されない。非自着・非離型性被膜層としては、例えば、アクリル系重合体や長鎖アルキル系化合物を含有する被膜形成組成物や、アクリル系重合体や長鎖アルキル系化合物を調製する際の成分（モノマー成分など）を含有する被膜形成組成物などにより形成することができる。非自着・非離型性被膜層を形成する被膜形成組成物は、単独で又は２種以上組み合わせて使用することができる。
【００９２】
前記アクリル系重合体としては、少なくとも（メタ）アクリル酸アルキルエステルをモノマー成分として含有する（メタ）アクリル酸アルキルエステル系重合体が好適である。具体的には、（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシル等の（メタ）アクリル酸Ｃ1-20アルキルエステル等が挙げられる。モノマー成分としての（メタ）アクリル酸アルキルエステルは、単独で又は２種以上組み合わせて使用することができる。
【００９３】
また、アクリル系重合体は、モノマー成分として、（メタ）アクリル酸アルキルエステルとともに、該（メタ）アクリル酸アルキルエステルに対して共重合性を有するモノマー成分（共重合性モノマー成分）が用いられていてもよい。このような共重合性モノマー成分としては、例えば、（メタ）アクリル酸（アクリル酸、メタクリル酸）、イタコン酸、マレイン酸、フマル酸、クロトン酸、イソクロトン酸などのカルボキシル基含有単量体又はその無水物（無水マレイン酸、無水イタコン酸など）；マレイン酸モノメチル、マレイン酸モノエチル、マレイン酸ジエチル等のマレイン酸（モノ又はジ）エステル；フマル酸モノメチル、フマル酸モノエチル等のフマル酸（モノ又はジ）エステル；スチレン、置換スチレンなどの芳香族ビニル化合物；（メタ）アクリル酸ヒドロキシエチル、（メタ）アクリル酸ヒドロキシプロピル等の（メタ）アクリル酸ヒドロキシアルキルや、グリセリンジメタクリレートなどの水酸基含有単量体；（メタ）アクリル酸グリシジル、（メタ）アクリル酸メチルグリシジルなどのエポキシ基含有単量体；アクリロニトリルやメタクリロニトリルなどのシアノ基含有単量体；アクリルアミド、メタアクリルアミド、Ｎ−ビニルピロリドン、Ｎ，Ｎ−ジメチル（メタ）アクリルアミドなどのアミド基含有単量体；（メタ）アクリル酸アミノエチル、（メタ）アクリロイルモルホリンなどのアミノ基含有単量体；シクロヘキシルマレイミド、イソプロピルマレイミドなどのイミド基含有単量体；酢酸ビニルなどのビニルエステル類；ビニルアルコール等のビニルアルコール類；ビニルアルキルエーテルなどのビニルエーテル類；塩化ビニル；エチレン、プロピレン等のオレフィン類；ブタジエン、イソプレン、イソブチレンなどのジエン類；ビニルスルホン酸ナトリウムなどのスルホン酸基含有単量体などが挙げられる。共重合性モノマー成分は、単独で又は２種以上組み合わせて使用することができる。
【００９４】
具体的には、アクリル系重合体としては、ポリブチルメタクリレート、オクタデシルメタクリレート−アクリロニトリル共重合体が好適である。
【００９５】
一方、長鎖アルキル系化合物としては、特に制限されず、例えば、ポリビニルアルコールと、ステアリルイソシアネートなどの炭素数が１０〜２０の長鎖アルキルイソシアネートとの反応物などを使用することができる。
【００９６】
非自着・非離型性被膜層に使用される材料の中には、一般的には、剥離剤として使用されるような材料も含まれるが、本発明においては、粘着剤との組み合わせを適宜選択すること（例えば、ブチルゴム系粘着剤は、オクタデシルメタクリレート−アクリロニトリル共重合体からなる被膜層に対して接着性を示す）や、塗布量を薄くすることにより貼付時に、展延性防水気密用粘着シートを引き伸ばした際に被膜層に亀裂を生じさせて粘着剤層との接着性を発現させることなどにより、一般的な剥離剤による被膜層を、非自着・非離型性被膜層として利用することができる。
【００９７】
なお、前記被膜層が、粘着剤層との接着性を有するとは、例えば、同一の展延性防水気密用粘着シートから作製した２枚の試験片について、一方の試験片における粘着剤層を、他方の試験片における基材の背面（被膜層側の面）に２ｋｇのローラー１往復にて貼着させた後、３０分経過後の１８０°ピール粘着力（試験片の幅：２５ｍｍ、引張速度：３００ｍｍ／ｍｉｎ、温度：２３±２℃、湿度：５０±５％ＲＨ）を測定した場合に、その１８０°ピール粘着力が３Ｎ／２５ｍｍ以上（好ましくは５Ｎ／２５ｍｍ以上）であることを意味している。
【００９８】
非自着・非離型性被膜層において、被膜形成組成物には、アクリル系重合体や長鎖アルキル系化合物、またはアクリル系重合体や長鎖アルキル系化合物を調製するための成分（モノマー成分など）の他、充填剤、着色剤、紫外線吸収剤、酸化防止剤、帯電防止剤等の適宜な添加剤が、適量配合されていてもよい。
【００９９】
非自着・非離型性被膜層の形成方法としては、特に制限されない。非自着・非離型性被膜層は、例えば、被膜形成組成物を、基材の背面に塗布し、必要に応じて乾燥や硬化を行うことにより、形成することができる。なお、前記被膜形成組成物は、液状状態や溶融状態を有していてもよい。被膜形成組成物が、液状状態や溶融状態を有している場合や、アクリル系重合体を調製するためのモノマー成分を含有している場合などでは、塗布後に、加熱処理等により、乾燥や硬化を行うことにより、非自着・非離型性被膜層を形成することができる。
【０１００】
非自着・非離型性被膜層の厚みとしては、特に制限されないが、例えば、０．５〜１０μｍの範囲から選択することができ、好ましくは１〜５μｍであり、平均的には３μｍ程度である。
【０１０１】
従って、展延性防水気密用粘着シートとしては、ゴム製シートを基材とし、且つ該ゴム製シートの片面に粘着剤層を有しており、さらに、基材の粘着剤層に対して反対側の面（背面）に非自着・非離型性被膜層が形成され、さらにまた、破断時における伸び（標線間距離：４０ｍｍ、引張速度：３００ｍｍ／ｍｉｎ）が、長手方向（ＭＤ方向）および幅方向（ＴＤ方向）ともに、２００〜１２００％であり、且つ１００％伸長下における応力（標線間距離：４０ｍｍ、引張速度：５０ｍｍ／ｍｉｎ）が、長手方向（ＭＤ方向）および幅方向（ＴＤ方向）ともに、１０〜１００Ｎ／ｃｍ2である特性を有していることが、特に好適である。
【０１０２】
本発明における展延性防水気密用粘着シートの製造方法としては、特に制限されない。例えば、基材としてゴム製シートが用いられ、ゴム製シートの粘着剤層に対して反対側の面（背面）に非自着・非離型性被膜層を有している場合、展延性防水気密用粘着シートは、例えば、合成ゴム等のゴム成分に適量の軟化剤、充填剤等の添加剤を配合し、ミキシングロール、ニーダー、バンバリーミキサーなどの混合機で混合してゴム組成物を調製し、さらに、カレンダーロールや押出し機等を用いて、シート状に成型してゴム製シートを作製した後、金属製ロールや、流し込みによる方法で、ゴム製シートの所定の面（粘着剤層に対して背面側となる面）に、被膜形成組成物を塗布し、乾燥して、非自着・非離型性被膜層を形成し、さらに、ゴム製シートの他方の面（粘着面となる面）に、押出し機での押出し成型やカレンダーロールによる成型により得られたシート状の粘着剤層を付着させ、さらにまた、片面又は両面が離型処理面となっている剥離ライナーを粘着剤層表面に重ね合わせて巻き取ることにより、展延性防水気密用粘着シートを作製することができる。
【０１０３】
なお、非自着・非離型性被膜層が、ポリブチルメタクリレートにより形成されている場合、例えば、キシレン等を溶媒としてポリブチルメタクリレートを溶解させて得られるポリブチルメタクリレートの溶液を、基材の背面に塗布した後、乾燥させることにより、非自着・非離型性被膜層を形成することができる。
【０１０４】
また、粘着剤層が、ゴム系粘着剤による粘着剤層である場合、例えば、ブチルゴム等のゴム成分に、軟化剤、充填剤、粘着付与剤等の添加剤を適量加えて、混合機（ミキシングロール、ニーダー）で混合してゴム系粘着剤（特に、ブチルゴム系粘着剤）を調製した後、押出し機やカレンダーロールにより成型して、シート状の粘着剤層を形成することができる。もちろん、前述のように、溶液状態や溶融状態の粘着剤組成物を、ゴム製シートの所定の表面に塗布したり、剥離フィルム上に塗布した後、ゴム製シートの所定の面に転写したりすることにより、粘着剤層を形成することができる。
【０１０５】
さらにまた、ゴム製シートとして、展延性防水気密用粘着シートの破断時伸びや１００％引張り変形応力を前記範囲とすることが可能な物性（破断時伸びや１００％引張り変形応力）を有しているゴム製シートを用いることが重要である。
【０１０６】
本発明における３面交差構造物の防水施工方法では、展延性防水気密用粘着シートを、所定の方法により、３面交差構造物における３面が接触している点状隅部及びその周辺部を含む３面交差周辺部に貼着させているので、３面交差周辺部であっても、密接に防水気密用粘着シートを、効率よく且つ容易に貼着させることができ、優れた防水性及び気密性で防水施工を施すことができる。
【０１０７】
特に、展延性防水気密用粘着シートが、破断時伸び（標線間距離：４０ｍｍ、引張速度：３００ｍｍ／ｍｉｎ）が、長手方向および幅方向ともに、２００〜１２００％であり、１００％引張り変形応力（標線間距離：４０ｍｍ、引張速度：５０ｍｍ／ｍｉｎ）が、長手方向および幅方向ともに、１０〜１００Ｎ／ｃｍ2である特性を有していると、適度に引っ張って貼着させることができるとともに、伸長された状態で貼着させても、変形応力によるシワ、切れや剥がれ等が防止されており、その状態を長期間に亘り効果的に保持させることができる。
【０１０８】
また、展延性防水気密用粘着シートが、ゴム製シートを基材として形成されている場合、基材としてのゴム製シートの表面（背面）に、非自着性および粘着剤層接着性（非離型性）を有している非自着・非離型性被膜層を形成することにより、２つ折り状態となるに折り曲げられて、基材の背面どうしが接触しても、背面同士の接着又は自着を防止することができるとともに、各種粘着シート（例えば、同一又は異なる展延性防水気密用粘着シートや、展延性を有していない防水気密用粘着シートなど）の粘着剤層を背面に良好に接着させることができる。そのため、展延性防水気密用粘着シートに、各種粘着シートを重ねて貼着させても、重ね部分などにおいて、各種粘着シート（例えば、同一又は異なる展延性防水気密用粘着シートや、展延性を有していない防水気密用粘着シートなど）の接着性を効果的に確保することができ、３面交差構造物全体にわたって、優れた防水性及び気密性で防水施工を施すことが可能となる。
【０１０９】
本発明における３面交差構造物の防水施工方法を適用することができる３面交差構造物としては、３面が接触し且つ３面の各面どうしも互いに接触している３面を有する３面交差構造物であれば、特に制限されないが、外装が下地状態の住宅外装下地構造物などが挙げられる。３面交差構造物における３面が接触している点状隅部及びその周辺部を含む３面交差周辺部としては、例えば、住宅外装下地構造物の換気扇枠、サッシ枠、手摺壁部と壁部との接合部、階段状の手摺壁部の段差部、天窓取付部などの住宅外装下地構造物における各種の入隅部（３面交差周辺部を有する入隅部）、出隅部（３面交差周辺部を有する出隅部）などが挙げられる。従って、本発明の３面交差構造物の防水施工方法は、住宅外装下地構造物に対して防水施工を施す際に、好適に適用することができる。そのため、住宅の防水性および気密性を高め、雨水の住宅内部への浸入を防ぎ、住宅内部での結露、腐食などを防止することができる。
【０１１０】
なお、図９〜図１１に、本発明の３面交差構造物の防水施工方法を利用して、３面交差構造物における３面交差周辺部に防水施工を施した具体例を示す。図９〜１１は、それぞれ、３面交差構造物のおける３面交差周辺部に防水施工に施した例を示す概略図である。図９において、８１は住宅外装下地構造物におけるサッシ枠、８１ａはサッシ枠８１における３面が接触している点状隅部及びその周辺部を含む３面交差周辺部、８１ｂは外壁部、８１ｃはサッシ挿入部、９１は３面交差周辺部８１ａに貼着された展延性防水気密用粘着シートである。
【０１１１】
また、図１０において、８２は住宅外装下地構造物における換気扇枠、８２ａは換気扇枠８２における３面が接触している点状隅部及びその周辺部を含む３面交差周辺部、８２ｂは外壁部、８２ｃは換気扇挿入部、９２は３面交差周辺部８２ａに貼着された展延性防水気密用粘着シートである。
【０１１２】
さらに、図１１において、８３は住宅外装下地構造物における手摺壁部と壁部との接合部、８３ａは手摺壁部と壁部との接合部８３における３面が接触している点状隅部及びその周辺部を含む３面交差周辺部、８３ｂは手摺壁部、８３ｃは壁部、８４は住宅外装下地構造物における階段状の手摺壁部の段差部、８４ａは階段状の手摺壁部の段差部８４における３面が接触している点状隅部及びその周辺部を含む３面交差周辺部、９３は３面交差周辺部８３ａに貼着された展延性防水気密用粘着シート、９４は３面交差周辺部８４ａに貼着された展延性防水気密用粘着シートである。
【実施例】
【０１１３】
以下に、実施例に基づいて本発明をより詳細に説明するが、本発明はこれらの実施例により何ら限定されるものではない。
【０１１４】
（展延性防水気密用粘着シートの作製例１）
下記の（基材の作製例１）により得られた厚みが０．４５ｍｍのゴム製シートの一方の面に、下記の（被膜形成組成物の調製例１）により得られた被膜形成組成物を、所定量塗布して、１００℃で０．５分間乾燥して、厚さが約３μｍの被膜層を形成した。その後、ゴム製シートの他方の面（被膜層に対して反対側の面）に、下記の（粘着剤層の作製例１）により得られたシート状の粘着剤層（厚み：１．０ｍｍ）貼り合わせ、さらに、該粘着剤層上に、片面にシリコーン離型処理が施されている剥離ライナーを貼り合わせて、展延性防水気密用粘着シートを得た。
【０１１５】
（基材の作製例１）
ブチルゴム：５０重量部、エチレン−プロピレン−ジエンゴム（ＥＰＤＭ）：５０重量部、重質炭酸カルシウム：１２０重量部、プロセスオイル：１５重量部、およびカーボンブラック：１０重量部を、混合機（バンバリーミキサー）に投入して、８分間混練りした後、カレンダーロールで、ロール温度：１１０℃の条件で、シート状に成型して、各厚みのゴム製シート（厚みが０．４５ｍｍのゴム製シート、厚みが０．５５ｍｍのゴム製シート、厚みが２．０ｍｍのゴム製シート）を、それぞれ、作製した。
【０１１６】
（被膜形成組成物の調製例１）
アクリロニトリルと、オクタデシルメタクリレートとをトルエン溶液中で重合して、共重合体［アクリロニトリル／オクタデシルメタクリレート（重量モル比）＝３０／７０；重量平均分子量：４万］を得た。この共重合体をトルエンで濃度調整を行って、固形分が１重量％の溶液を調製し、該溶液を被膜形成組成物とした。
【０１１７】
（粘着剤層の作製例１）
押出機に、ブチルゴム：１００重量部、粘着付与剤：５０重量部、重質炭酸カルシウム：１００重量部、カーボンブラック：３０重量部、および軟化剤：１００重量部の混合物を導入し、押出成型を行って、厚みが１．０ｍｍのシート状の粘着剤層を作製した。
【０１１８】
なお、この展延性防水気密用粘着シートの作製例１により作製された展延性防水気密用粘着シートにおける破断時における伸び（標線間距離：４０ｍｍ、引張速度：３００ｍｍ／ｍｉｎ）は、長手方向が６９０％であり、幅方向が９７０％であった。また、前記展延性防水気密用粘着シートにおける１００％伸長下における応力（標線間距離：４０ｍｍ、引張速度：５０ｍｍ／ｍｉｎ）は、長手方向が５０Ｎ／ｃｍ2であり、幅方向２０Ｎ／ｃｍ2であった。なお、展延性防水気密用粘着シートにおける破断時における伸びや、１００％伸長下における応力は、下記の（破断時における伸びの測定方法）、（１００％伸長下における応力の測定方法）により測定した。
【０１１９】
（破断時における伸びの測定方法）
展延性防水気密用粘着シートを、長手方向（ＭＤ方向）および幅方向（ＴＤ方向）のそれぞれの方向で、ＪＩＳ  Ｋ  ６２５１に規定するダンベル形状１号の試験片に打ち抜いて試験片（試験幅：１０ｍｍ、標線間距離：４０ｍｍ）を作製し、引張り試験機を使用し、試験片の標線間距離：４０ｍｍ、試験片の幅：１０ｍｍとして、３００ｍｍ／ｍｉｎの速度で、クロスヘッド側を引張り、試験片が切断した時点の伸び（％）を測定する。
【０１２０】
（１００％伸長下における応力の測定方法）
展延性防水気密用粘着シートを、長手方向（ＭＤ方向）および幅方向（ＴＤ方向）のそれぞれの方向で、ＪＩＳ  Ｋ  ６２５１に規定するダンベル形状１号の試験片に打ち抜いて試験片（試験幅：１０ｍｍ、標線間距離：４０ｍｍ）を作製し、ＪＩＳ  Ｋ  ６２５４に準じて、引張り試験機を使用し、試験片の標線間距離：４０ｍｍ、試験片の幅：１０ｍｍとして、５０ｍｍ／ｍｉｎの速度で、クロスヘッド側を引張り、試験片が１００％伸びた時点で引張りを停止し、このときの荷重（Ｎ）を測定し、この荷重の値を引張り前の試験片の断面積（試験片の厚さ×試験片の幅）で割ることにより、単位断面積当たりの荷重（Ｎ／ｃｍ2）を算出し、この算出された値を１００％伸長下における応力とする。
【０１２１】
（背面接着性の評価）
また、前記の展延性防水気密用粘着シートの作製例１により作製された展延性防水気密用粘着シートを幅２５ｍｍに切断した後、基材の背面（被膜形成組成物の調製例１により得られた被膜形成組成物による被膜層側の面）を、指触して、粘着性を確認し、また、背面（被膜層側の面）どうしを貼り合わせて、２ｋｇのローラー１往復にて貼着させて、３０分間放置した後、剥がして、背面どうしの接着性を官能的に確認し、さらにまた、この剥離の際の１８０°ピール粘着力（接着力）を測定したところ（幅：２５ｍｍ、引張速度：３００ｍｍ／ｍｉｎ、温度：２３±２℃、湿度：５０±５％ＲＨ）、指触では粘着感が感じられず、また、背面どうしを貼り合わせた後に剥離する際の１８０°ピール粘着力は０Ｎ／２５ｍｍであり、背面どうしは互いに接着することがなく、貼り合わせ施工作業を阻害することがないことが確認された。
【０１２２】
（粘着剤層の背面への接着性の評価）
さらに、展延性防水気密用粘着シートの作製例１により作製された展延性防水気密用粘着シートを幅２５ｍｍに切断し、２つの試験片を作製した後、一方の試験片における粘着剤層を、他方の試験片における基材の表面（被膜形成組成物の調製例１により得られた被膜形成組成物による被膜層側の面）に、２ｋｇのローラー１往復にて貼着させた後、所定時間（３０分間、２４時間）放置した後、引張試験機（装置製品名「オートグラフ」島津製作所社製）を用いて、１８０°ピール粘着力（幅：２５ｍｍ、引張速度：３００ｍｍ／ｍｉｎ、温度：２３±２℃、湿度：５０±５％ＲＨ、基材の背面側が粘着剤層に貼着されている側の試験片を剥離する）を測定したところ、３０分放置後の１８０°ピール粘着力（引張速度：３００ｍｍ／ｍｉｎ）は９Ｎ／２５ｍｍであり、２４時間放置後の１８０°ピール粘着力（引張速度：３００ｍｍ／ｍｉｎ）は１３Ｎ／２５ｍｍであった。
【０１２３】
（防水性の評価）
さらにまた、展延性防水気密用粘着シートの作製例１により作製された展延性防水気密用粘着シートを幅１００ｍｍに切断し、２つの試験片を作製した後、一方の試験片における粘着剤層を、他方の試験片における基材の表面（被膜形成組成物の調製例１により得られた被膜形成組成物による被膜層側の面）に、図１２で示されるように、長さ２５ｍｍ重ね合わせて、２ｋｇのローラー１往復にて貼着させた後、７０ｍｍ径の筒を重ね合わせ部分上に立て、粘着テープとの境界部をシーリング材で漏水防止の処理をする。その後、筒の中に水を５０ｍｍの高さになるように注入し、２４時間後に重ね合わせ部での漏水の有無を目視により観察したところ、漏水は確認されず、防水性・気密性が良好であることが確認された。
【０１２４】
図１２は、実施例における防水性の評価で、防水性を評価する際の方法を示す概略図である。図１２において、１０ａは一方の試験片（幅１００ｍｍ）、１０ｂは他方の試験片（幅１００ｍｍ）、１０ｃは筒（外径７０ｍｍ、プラスチック製）、１０ｄは水である。図１２では、一方の試験片１０ａにおける粘着剤層を、他方の試験片１０ｂにおける基材の表面に、重ね合わせ部分の長さが２５ｍｍとなるように重ね合わせて接着させた後、前記重ね合わせ部分上に、筒１０ｃをたてて、筒１０ｃと試験片（１０ａ，１０ｂ）との境界部を、シーリング材により漏水防止の処理を行い、その後、筒１０ｃの中に、５０ｍｍの高さまで水１０ｄを注入している。
【０１２５】
（実施例１）
展延性防水気密用粘着シートの作製例１により作製された展延性防水気密用粘着シートを、幅：１００ｍｍ、長さ：１００ｍｍに切断して、展延性防水気密用粘着シートの貼付試験片を作製した。この貼付試験片を、温度：２３±２℃、湿度：５０±５％ＲＨの条件下で、図１〜５で示されるようにして、３面が接触し且つ３面の各面どうしも互いに接触しているとともに、各面間の角度がすべて約９０°となっている３面を有する３面交差構造物における３面交差周辺部（３面が接触している点状隅部及びその周辺部を含む部位）に貼着させた。
【０１２６】
具体的には、前記貼付試験片を、図１で示されるようにして、背面（すなわち、被膜層側の面）どうしが対向して内面側に位置し且つ粘着面（粘着剤層の表面）が外面側に位置するような形態で、２つ折り状態となるように折り曲げた後、さらに、一方の外面側の粘着面が剥離ライナーにより保護された状態で対向して内面側に位置し且つ他方の外面側の粘着面が外面側に位置するような形態で、４つ折り状態となるように折り曲げた。その後、図２で示されるように、４つ折り状態となるように折り曲げた際に外面側に位置している粘着面を保護している剥離ライナーを剥離させて、粘着面を露出させた。
【０１２７】
次に、４つ折り状態に折り曲げ且つ外面側に位置している粘着面を露出させた展延性防水気密用粘着シートを、図３で示されるようにして、所定の形態で、３面が接触し且つ３面の各面どうしも互いに接触している３面を有する３面交差構造物におけるいずれかの２面に密接に貼り合わせた。具体的には、展延性防水気密用粘着シートを、２つ折り状態となるように折り曲げた際の線状の折り曲げ部と、４つ折り状態となるように折り曲げた際の線状の折り曲げ部とが交差している点状の２回折り曲げ角部が、３面交差構造物の３面が接触している点状隅部に一致又はほぼ一致するとともに、４つ折り状態となるように折り曲げた際の線状の折り曲げ部が、３面交差構造物におけるいずれかの２面どうしが接触している線状隅部に一致又はほぼ一致し、且つ２つ折り状態となるように折り曲げた際の線状の折り曲げ部が、３面交差構造物における他の２つの線状隅部に一致又はほぼ一致するような形態で、３面交差構造物において、４つ折り状態となるように折り曲げた際の線状の折り曲げ部が一致又はほぼ一致している線状隅部を形成している２面に、密接に貼り合わせた。
【０１２８】
つづいて、３面交差構造物における所定の２面に所定の形態で貼り合わせられた展延性防水気密用粘着シートから、図４で示されるように、未貼着状態の粘着面を保護している剥離ライナーを剥離させて、剥離ライナーにより保護された状態の残部の粘着面を露出させた後、該粘着面を、図５で示されるように、２つ折り状態となるように折り曲げた際の線状の折り曲げ部が一致又はほぼ一致している３面交差構造物における２つの線状隅部から、まだ貼着していない３面交差構造物における１面の方向に展延させながら、３面交差構造物における他の１面に、密接に貼り合わせて、３面交差構造物における３面が接触している点状隅部及びその周辺部を含む３面交差周辺部に、展延性防水気密用粘着シートを密接に貼着させた。
【０１２９】
展延性防水気密用粘着シートを３面交差構造物における３面交差周辺部に貼着させた後、温度：２３±２℃、湿度：５０±５％ＲＨの条件下で、２４時間放置した後に、展延性防水気密用粘着シートの外観を目視で観察し、防水性・気密性を阻害する展延性防水気密用粘着シートの剥がれや浮きの有無を確認し、貼り合わせ施工性を評価したところ、剥がれや浮きは全く見られなかった。
【０１３０】
従って、実施例１による３面交差構造物の防水施工方法によれば、３面が接触している点状隅部及びその周辺部を含む３面交差周辺部であっても、効率よく且つ容易に、防水気密用粘着シートを貼着させることができ、優れた防水性及び気密性で防水施工を施すことができる。
【図面の簡単な説明】
【０１３１】
【図１】本発明の３面交差構造物の防水施工方法における工程（Ａ）において、展延性防水気密用粘着シートを折り曲げる状態を示す概略図である。
【図２】本発明の３面交差構造物の防水施工方法における工程（Ｂ）において、展延性防水気密用粘着シートを４つ折り状態となるように折り曲げた際に外面側に位置する粘着面を保護している剥離ライナーが剥離された状態を示す概略図である。
【図３】本発明の３面交差構造物の防水施工方法における工程（Ｃ）において、４つ折り状態となるように折り曲げられた展延性防水気密用粘着シートを、３面交差構造物におけるいずれかの２面に貼り合わせた状態を示す概略図である。
【図４】本発明の３面交差構造物の防水施工方法における工程（Ｄ）において、３面交差構造物の３面交差周辺部における所定の２面に貼り合わせた展延性防水気密用粘着シートにおいて、未貼着状態の粘着面を保護している剥離ライナーが剥離された状態を示す概略図である。
【図５】本発明の３面交差構造物の防水施工方法における工程（Ｅ）において、３面交差構造物の３面交差周辺部における所定の２面に貼り合わせた展延性防水気密用粘着シートを、他の１面に貼り合わせた状態を示す概略図である。
【図６】本発明における３面交差構造物の例を部分的に示す概略図である。
【図７】本発明における展延性防水気密用粘着シートの例を示す概略図であり、図７（ａ）は上面図、図７（ｂ）は断面図である。
【図８】本発明の展延性防水気密用粘着シートの例を部分的に示す概略断面図である。
【図９】３面交差構造物のおける３面交差周辺部に防水施工に施した例を示す概略図である。
【図１０】３面交差構造物のおける３面交差周辺部に防水施工に施した例を示す概略図である。
【図１１】３面交差構造物のおける３面交差周辺部に防水施工に施した例を示す概略図である。
【図１２】実施例における防水性の評価で、防水性を評価する際の方法を示す概略図である。
【符号の説明】
【０１３２】
１      展延性防水気密用粘着シート
１ａ    展延性防水気密用粘着シート１の背面側
１ｂ    展延性防水気密用粘着シート１の粘着面側
２      基材
３      粘着剤層
４      剥離ライナー
５ａ    展延性防水気密用粘着シート１を２つ折り状態となるように折り曲げた際の内面側（２つ折り内面側）
５ｂ    展延性防水気密用粘着シート１を２つ折り状態となるように折り曲げた際の外面側（２つ折り外面側）
５ｂ１  ２つ折り外面側５ｂのうちの一方の２つ折り外面側
５ｂ２  ２つ折り外面側５ｂのうちの他方の２つ折り外面側
５ｃ    展延性防水気密用粘着シート１を４つ折り状態となるように折り曲げた際の内面側（４つ折り内面側）
５ｄ    展延性防水気密用粘着シート１を４つ折り状態となるように折り曲げた際の外面側（４つ折り外面側）
５ｄ１  ４つ折り外面側５ｄのうちの一方の４つ折り外面側
５ｄ２  ４つ折り外面側５ｄのうちの他方の４つ折り外面側
６ａ    展延性防水気密用粘着シート１を２つ折り状態となるように折り曲げた際の線状の折り曲げ部（２つ折り折曲部）
６ａ１  ２つ折り折曲部６ａのうちの一方の端部側の２つ折り折曲部
６ａ２  ２つ折り折曲部６ａのうちの他方の端部側の２つ折り折曲部
６ｂ    展延性防水気密用粘着シート１を４つ折り状態となるように折り曲げた際の線状の折り曲げ部（４つ折り折曲部）
６ｃ    ２つ折り折曲部６ａと４つ折り折曲部６ｂとが交差している点状の２回折り曲げ角部（折曲角部）
Ａ      面Ｘと面Ｙとの２面が接触している線状隅部
A1〜A4  各面（X1〜X4）と各面（Y1〜Y4）との２面が接触している線状隅部
Ｂ      面Ｘと面Ｚとの２面が接触している線状隅部
B1〜B4  各面（X1〜X4）と各面（Z1〜Z4）との２面が接触している線状隅部
Ｃ      面Ｙと面Ｚとの２面が接触している線状隅部
C1〜C4  各面（Y1〜Y4）と各面（Z1〜Z4）との２面が接触している線状隅部
Ｄ      面Ｘと面Ｙと面Ｚとの３面が接触している点状隅部
D1〜D4  各面（X1〜X4）と各面（Y1〜Y4）と各面（Z1〜Z4）との３面が接触している点状隅部
Ｗ      ３面が接触し且つ３面の各面どうしも互いに接触している３面を有する構造物（３面交差構造物）
W1〜W4  それぞれ、３面交差構造物
Ｗａ    点状隅部Ｄ及びその周辺部を含む部分（３面交差周辺部）
Ｘ      ３面交差構造物Ｗにおける各面
X1〜X4  各３面交差構造物（W1〜W4）における各面
Ｙ      ３面交差構造物Ｗにおける各面
Y1〜Y4  各３面交差構造物（W1〜W4）における各面
Ｚ      ３面交差構造物Ｗにおける各面
Z1〜Z4  各３面交差構造物（W1〜W4）における各面
１１    展延性防水気密用粘着シート
２１    基材
３１    粘着剤層
４１    剥離ライナー
４１ａ  剥離ライナー４１における一方の端部側の剥離ライナー部
４１ｂ  剥離ライナー４１における他方の端部側の剥離ライナー部
４１ｃ  剥離ライナー４１に設けられた背割り線
１２    展延性防水気密用粘着シート
２２    ゴム製シート
３２    粘着剤層
４２    剥離ライナー
７      非自着性且つ粘着剤層接着性を有する被膜層（非自着・非離型性被膜層）
８１    住宅外装下地構造物におけるサッシ枠
８１ａ  サッシ枠８１における３面が接触している点状隅部及びその周辺部を含む３面交差周辺部
８１ｂ  外壁部
８１ｃ  サッシ挿入部、
９１    ３面交差周辺部８１ａに貼着された展延性防水気密用粘着シート
８２    住宅外装下地構造物における換気扇枠
８２ａ  換気扇枠８２における３面が接触している点状隅部及びその周辺部を含む３面交差周辺部
８２ｂ  外壁部
８２ｃ  換気扇挿入部、
９２    ３面交差周辺部８２ａに貼着された展延性防水気密用粘着シート
８３    住宅外装下地構造物における手摺壁部と壁部との接合部
８３ａ  手摺壁部と壁部との接合部８３における３面が接触している点状隅部及びその周辺部を含む３面交差周辺部
８３ｂ  手摺壁部
８３ｃ  壁部
８４    住宅外装下地構造物における階段状の手摺壁部の段差部
８４ａ  階段状の手摺壁部の段差部８４における３面が接触している点状隅部及びその周辺部を含む３面交差周辺部
９３    ３面交差周辺部８３ａに貼着された展延性防水気密用粘着シート
９４    ３面交差周辺部８４ａに貼着された展延性防水気密用粘着シート
１０ａ  一方の試験片（幅１００ｍｍ）
１０ｂ  他方の試験片（幅１００ｍｍ）
１０ｃ  筒（外径７０ｍｍ、プラスチック製）
１０ｄ  水
【図１】
2006070461.tif 000003
【図２】
2006070461.tif 000004
【図３】
2006070461.tif 000005
【図４】
2006070461.tif 000006
【図５】
2006070461.tif 000007
【図６】
2006070461.tif 000008
【図７】
2006070461.tif 000009
【図８】
2006070461.tif 000010
【図９】
2006070461.tif 000011
【図１０】
2006070461.tif 000012
【図１１】
2006070461.tif 000013
【図１２】
2006070461.tif 000014